(57)【特許請求の範囲】
【請求項１】
無線通信のための方法であって、
複数のバーストを備えた低速付随制御チャネル（ＳＡＣＣＨ）ブロックを受信することと、
前記低速付随性制御チャネルブロックが完全性チェックに失敗したことを決定することと、
前記低速付随制御チャネルブロックにおける前記バーストの１つと複数の記憶された低速付随制御チャネルブロックの各々の一部との間の相関レベルを決定することと、
最大の相関レベルに基づいて、前記記憶された低速付随制御チャネルブロックを設定することと、
を備え、前記最大の相関レベルに基づいて、前記記憶された低速付随制御チャネルブロックを設定することは、前記最大の相関レベルがしきい値より下の場合、前記ＳＡＣＣＨブロックが成功裡に受信されなかったことを送信デバイスに知らせることを備え、前記相関レベルを決定することは、前記低速付随制御チャネルブロックにおいて最も高い品質をもったバーストを選択することを備える、方法。
【請求項２】
前記完全性チェックは巡回冗長チェックである、請求項１に記載の方法。
【請求項３】
前記記憶された低速付随制御チャネルブロックは、以前に巡回冗長チェックをパスした、請求項１に記載の方法。
【請求項４】
前記方法は、無線通信デバイスによって実行される、請求項１に記載の方法。
【請求項５】
前記方法は、基地局によって実行される、請求項１に記載の方法。
【請求項６】
前記最大の相関レベルに基づいて、前記記憶された低速付随制御チャネルブロックを設定することは、前記最大の相関レベルが前記しきい値より上である場合、前記記憶された低速付随制御チャネルブロックを再利用することを備える、請求項１に記載の方法。
【請求項７】
前記最も高い品質をもったバーストは、最も高い推定された信号対ノイズ比を有する、請求項１に記載の方法。
【請求項８】
前記記憶された低速付随制御チャネルブロックの前記一部は、前記バーストと同じタイプのものである、請求項１に記載の方法。
【請求項９】
前記記憶された低速付随制御チャネルブロックの前記一部がシステム情報とメジャーメント情報との一方を備えることが決定される、請求項８に記載の方法。
【請求項１０】
ハンドオーバを開始することと、
前記記憶された低速付随制御チャネルブロックを、テンポラリ低速付随制御チャネルブロックにセーブすることと、
前記記憶された低速付随制御チャネルブロックをフラッシュすることと、
をさらに備える、請求項１に記載の方法。
【請求項１１】
ハンドオーバの失敗に応じて、前記テンポラリ低速付随制御チャネルブロックを、前記記憶された低速付随制御チャネルブロックにセーブすることをさらに備える、請求項１０に記載の方法。
【請求項１２】
現在の電力制御レベルと現在のタイミング進度を再利用することをさらに備え、
前記現在の電力制御レベルと前記現在のタイミング進度は、巡回冗長チェックをパスした、以前に受信された低速付随制御チャネルブロックに基づく、
請求項１に記載の方法。
【請求項１３】
無線通信のための装置であって、
プロセッサと、
前記プロセッサと電気的通信にあるメモリと、
前記メモリに記憶された命令と、
を備え、前記命令は、前記プロセッサによって、
複数のバーストを備えた低速付随制御チャネル（ＳＡＣＣＨ）ブロックを受信することと、
前記低速付随性制御チャネルブロックが完全性チェックに失敗したことを決定することと、
前記低速付随制御チャネルブロックにおける前記バーストの１つと複数の記憶された低速付随制御チャネルブロックの各々の一部との間の相関レベルを決定することと、
最大の相関レベルに基づいて、前記記憶された低速付随制御チャネルブロックを設定することと、
を実行可能であり、前記最大の相関レベルに基づいて、前記記憶された低速付随制御チャネルブロックを設定することは、前記最大の相関レベルがしきい値より下の場合、前記ＳＡＣＣＨブロックが成功裡に受信されなかったことを送信デバイスに知らせることを備え、前記相関レベルを決定することは、前記低速付随制御チャネルブロックにおいて最も高い品質をもったバーストを選択することを備える、装置。
【請求項１４】
前記完全性チェックは巡回冗長チェックである、請求項１３に記載の装置。
【請求項１５】
前記記憶された低速付随制御チャネルブロックは、以前に巡回冗長チェックをパスした、請求項１３に記載の装置。
【請求項１６】
前記装置は、無線通信デバイスである、請求項１３に記載の装置。
【請求項１７】
前記装置は、基地局である、請求項１３に記載の装置。
【請求項１８】
前記最大の相関レベルに基づいて、前記記憶された低速付随制御チャネルブロックを設定することを実行可能である前記命令は、前記最大の相関レベルが前記しきい値より上である場合、前記記憶された低速付随制御チャネルブロックを再利用することを実行可能である命令を備える、請求項１３に記載の装置。
【請求項１９】
前記最も高い品質をもったバーストは、最も高い推定された信号対ノイズ比を有する、請求項１３に記載の装置。
【請求項２０】
前記記憶された低速付随制御チャネルブロックの前記一部は、前記バーストと同じタイプのものである、請求項１３に記載の装置。
【請求項２１】
前記記憶された低速付随制御チャネルブロックの前記一部がシステム情報とメジャーメント情報との一方を備えることが決定される、請求項２０に記載の装置。
【請求項２２】
前記命令は
ハンドオーバを開始することと、
前記記憶された低速付随制御チャネルブロックを、テンポラリ低速付随制御チャネルブロックにセーブすることと、
前記記憶された低速付随制御チャネルブロックをフラッシュすることと、をさらに実行可能である、請求項１３に記載の装置。
【請求項２３】
前記命令は、
ハンドオーバの失敗に応じて、前記テンポラリ低速付随制御チャネルブロックを、前記記憶された低速付随制御チャネルブロックにセーブすること
をさらに実行可能である、請求項２２に記載の装置。
【請求項２４】
前記命令は、現在の電力制御レベルと現在のタイミング進度を再利用することをさらに実行可能であり、
前記現在の電力制御レベルと前記現在のタイミング進度は、巡回冗長チェックをパスした、以前に受信された低速付随制御チャネルブロックに基づく、
請求項１３に記載の装置。
【請求項２５】
無線通信のためのコンピュータプログラムであって、
命令を備え、
前記命令は、
無線通信デバイスに、複数のバーストを備えた低速付随制御チャネル（ＳＡＣＣＨ）ブロックを受信させるためのコードと、
前記無線通信デバイスに、前記低速付随性制御チャネルブロックが完全性チェックに失敗したことを決定させるためにコードと、
前記無線通信デバイスに、前記低速付随制御チャネルブロックにおける前記バーストの１つと複数の記憶された低速付随制御チャネルブロックの各々の一部との間の相関レベルを決定させるためのコードと、
前記無線通信デバイスに、最大の相関レベルに基づいて、前記記憶された低速付随制御チャネルブロックを設定させるためのコードと、
を備え、前記最大の相関レベルに基づいて、前記記憶された低速付随制御チャネルブロックを設定することは、前記最大の相関レベルがしきい値より下の場合、前記ＳＡＣＣＨブロックが成功裡に受信されなかったことを送信デバイスに知らせることを備え、前記相関レベルを決定することは、前記低速付随制御チャネルブロックにおいて最も高い品質をもったバーストを選択することを備える、コンピュータプログラム。
【請求項２６】
前記無線通信デバイスに、前記最大の相関レベルに基づいて、前記記憶された低速付随制御チャネルブロックを設定させるためのコードは、前記最大の相関レベルが前記しきい値より上である場合、前記無線通信デバイスに、前記記憶された低速付随制御チャネルブロックを再利用させるためのコードを備える、請求項２５に記載のコンピュータプログラム。
【請求項２７】
前記命令は、
前記無線通信デバイスに、ハンドオーバを開始させるためのコードと、
前記無線通信デバイスに、前記記憶された低速付随制御チャネルブロックを、テンポラリ低速付随制御チャネルブロックにセーブさせるためのコードと、
前記無線通信デバイスに、前記記憶された低速付随制御チャネルブロックをフラッシュさせるためのコードと、
をさらに備える、請求項２５に記載のコンピュータプログラム。
【請求項２８】
前記命令は、
ハンドオーバの失敗に応じて、前記無線通信デバイスに、前記テンポラリ低速付随制御チャネルブロックを、前記記憶された低速付随制御チャネルブロックにセーブさせるためのコードをさらに備える、請求項２７に記載のコンピュータプログラム。
【請求項２９】
前記完全性チェックを成功裡にパスした以前に受信した前記低速付随制御チャネルブロックの対応する一部に対して前記バーストをマッチさせることをさらに備える、
請求項１に記載の方法。
【請求項３０】
前記命令は、前記完全性チェックを成功裡にパスした以前に受信した前記低速付随制御チャネルブロックの対応する一部に対して前記バーストをマッチさせることをさらに実行可能である、
請求項１３に記載の装置。
【請求項３１】
前記命令は、前記無線通信デバイスに、前記完全性チェックを成功裡にパスした以前に受信した前記低速付随制御チャネルブロックの対応する一部に対して前記バーストをマッチさせるためのコードをさらに備える、
請求項２５に記載のコンピュータプログラム。
【発明の詳細な説明】
【関連出願】
【０００１】
[0001]  本願は、以下に十分に記載されたかのごとき参照によって、および、全ての適用可能な目的のために、本願の中に組み込まれる、“ENHANCED SLOW ACCESS CONTROL CHANNEL”に係る２０１２年２月２３日に出願された米国仮特許出願に関連付けられ、優先権を主張する。
【技術分野】
【０００２】
[0002]  本願において検討される実施形態は、総体的に、通信システムに関する。より具体的には、実施形態は、通信システムにおける使用のための、拡張された低速付随制御チャネル（enhanced slow associated control channel）（ｅＳＡＣＣＨ）に係るシステムと方法の１つまたはそれより多くの態様に関係する。
【背景技術】
【０００３】
[0003]  無線通信システムは、世界中の多くの人々が通信できるようになる重要な手段になっている。無線通信システムは。各々が基地局によってサービスされ得るいくつかの加入者局のための通信を提供し得る。
【０００４】
[0004]  新しい加入者局は、継続的に、公衆にリリースされている。これらの新しい加入者局は、より多くの態様や増進された信頼性をもっている。しかし、より古い加入者局は、顧客によって使われ続ける。より古い加入者局は、レガシーデバイスと呼ばれてもよい。
【０００５】
[0005]  加入者局のユーザの１つの主たる懸念は、落とされる呼の頻度である。落とされた呼は、無線通信プロバイダの満足度を低下させる。利得は、レガシーデバイスを含む、加入者局についての落とされる呼の頻度を減らすことにより実現され得る。
【発明の概要】
【０００６】
[0006]  以下は、本開示の１つまたはそれより多くの態様の基本的な理解を提供するために、そのような態様の単純化された概要を示す。この概要は、本開示の全ての予期される特徴広い範囲にわたる外観ではなく、本家事の全ての態様の主要または重要な要素を特定することを意図するものでも、本開示のいずれかまたは全ての範囲（scope）の輪郭を描くことを意図するものでもない。その唯一の目的は、以降に示されるより詳細な説明への前置きとして、単純化された形式で、本開示の1つまたはそれより多くの態様のいくつかの概念を提示することにある。
【０００７】
[0007]  本発明の実施形態は、上述の問題、および、その他のことに向けられる。実際、本発明の実施形態は、時間遅延を緩和することができる、電力効率の良いデバイス、システム、および方法を提供する。そうすることは、電力リソースを効率的に利用することができるだけでなく、ネットワーク通信に関連付けられた遅延を最小限にすることに役立つことができる。
【０００８】
[0008]   無線通信のための方法が記載される。低速付随制御チャネルブロックが受信される。低速付随制御チャネルブロックが完全性チェック（integrity check）を通らないことが決定される。低速付随制御チャネルブロックと１つまたはそれより多くの記憶された低速付随制御チャネルブロックとの間の相関レベルが決定される。記憶された低速付随制御チャネルブロックは、最大の相関レベルに基づいて設定される。他の態様、実施形態、および特徴が記載され、請求項に請求される。
【０００９】
[0009]   完全性チェックは、巡回冗長チェックであってもよい。記憶された低速付随制御チャネルブロックは、以前に巡回冗長チェックをパスしたものであってよい。方法は、無線通信デバイスによって実行され得る。また、方法は、基地局によって実行され得る。
【００１０】
[0010]  記憶された低速付随制御チャネルブロックは、最大の相関レベルがしきい値より上ある場合に、記憶された低速付随制御チャネルブロックを再利用することによって設定され得る。加えて、記憶された低速付随制御チャネルブロックは、最大の相関レベルがしきい値より下である場合、反復される低速付随制御チャネル手続きを実行することによって設定されてもよい。
【００１１】
[0011]  低速付随制御チャネルブロックにおいて最も高い品質をもったバーストが選択され得る。最も高い品質をもったバーストは、最も高い推定された信号対ノイズ比を有し得る。各相関レベルは、バーストと記憶された低速付随制御チャネルブロックの部分との間で決定される。記憶された低速付随制御チャネルブロックの部分は、バーストと同じタイプのものであってよい。記憶された低速付随制御チャネルブロックの部分がシステム情報と計測情報とのうちの１つを含むことが、決定され得る。
【００１２】
[0012]  ハンドオーバが開始され得る。記憶された低速付随制御チャネルブロックが、テンポラリ低速付随制御チャネルブロックのなかにセーブされ得る。記憶された低速付随制御チャネルブロックがフラッシュ（flush）され得る。テンポラリ低速付随制御チャネルブロックは、ハンドオーバの失敗に応じて、記憶された低速付随制御チャネルブロックの中にセーブされ得る。
【００１３】
[0013]   現在の電力制御レベルと現在のタイミング進度（timing advance）は再利用され得る。現在の電力制御レベルと現在のタイミング進度は、巡回冗長チェックをパスした以前に受信された低速付随制御チャネルブロックに基づき得る。
【００１４】
[0014]  また、無線通信のための装置が記載される。装置は、プロセッサと、プロセッサとの電気的通信状態にあるメモリと、メモリに記憶された命令を含む。命令は、低速付随制御チャネルブロックを受信するためにプロセッサによって実行可能である。命令は、また、低速付随制御チャネルブロック完全性チェックを通らないことを決定するためにプロセッサによって実行可能である。命令は、さらに、低速付随制御チャネルブロックと各記憶された低速付随制御チャネルブロックとの間の相関レベルを決定するためにプロセッサによって実行可能である。命令は、加えて、最大相関レベルに基づいて、記憶された低速付随制御チャネルブロックを設定するために、プロセッサによって実行可能である。
【００１５】
[0015]  また、無線デバイスが記載される。無線デバイスは、低速付随制御チャネルブロックを受信するための手段を含む。無線デバイスは、また、低速付随制御チャネルブロックが完全性チェックを通らないことを決定するための手段を含む。無線デバイスは、さらに、低速付随制御チャネルブロックと各記憶された低速付随制御チャネルブロックとの間の相関レベルを決定するための手段を含む。無線デバイスは、最大の相関レベルに基づいて、記憶された低速付随制御チャネルブロックを設定するための手段を含む。
【００１６】
[0016]  また、無線通信のためのコンピュータプログラム製品が記載される。コンピュータプログラム製品は、その上に命令を有する非一時的なコンピュータ読み出し可能媒体を含む。命令は、無線通信デバイスに、低速付随制御チャネルブロックを女真させるためのコードを含む。命令は、また、無線デバイスに、低速付随制御チャネルブロックが完全性チェックを通らないことを決定させるためのコードを含む。命令は、さらに、無線デバイスに、低速付随制御チャネルブロックと各記憶された低速付随制御チャネルブロックとの間の相関レベルを決定させるためのコードを含む。加えて、命令は、無線デバイスに、最大の相関レベルに基づいて、記憶された低速付随制御チャネルブロックを設定させるためのコードを含む。
【００１７】
[0017]  本発明の他の態様、特徴、および実施形態は、本願発明の具体的で例示的な実施形態の記載を添付の図面とともにレビューすることで、当技術分野における通常の技量の者に明らかになる。本願発明の特徴は、ある実施形態や図に関連して検討され得るが、本願発明の全ての実施形態は、この明細書の中で議論される利得のある特徴の１つまたはそれより多くを含むことができる。言い換えれば、１つまたはそれより多くの実施形態は、ある利得のある特徴を有するとして議論され得るが、そのような特徴の１つまたはそれより多くは、また、本明細書の中で議論される発明の様々な実施形態に従って用いられてよい。同様に、例示の実施形態は、デバイス、システム、または方法の実施形態として以下に議論され得るが、そのような実施形態は、様々なデバイス、システム、および方法において実装されることができることが理解されるべきである。
【図面の簡単な説明】
【００１８】
【図１】[0018]   図１は、本発明の実施形態に従い、複数の無線デバイスをもった無線通信システムを示すブロック図である。
【図２】[0019]   図２は、本発明の実施形態に従い、無線ネットワーク動作を示すブロック図である。
【図３】[0020]   図３は、本発明の実施形態における使用のためのＵｍインタフェースを示すブロック図である。
【図４】[0021]   図４は、いくつかの実施形態に従い、拡張された低速付随制御チャネル（ｅＳＡＣＣＨ）手続きを実行するための方法の流れ図である。
【図５】[0022]   図５は、いくつかの実施形態に従い、基地局から無線通信デバイスへの拡張された低速付随制御チャネル（ＳＡＣＣＨ）の送信を示すブロック図である。
【図６】[0023]   図６は、いくつかの実施形態に従い、拡張された低速付随制御チャネル手続きの部分として、受信された低速付随制御チャネル（ＳＡＣＣＨ）ブロックをデコードするための方法の流れ図である。
【図７】[0024]   図７は、いくつかの実施形態に従い、拡張された低速付随制御チャネル（ｅＳＡＣＣＨ）手続きを実行するための方法の流れ図である。
【図８】[0025]   図８は、いくつかの実施形態に従って使用され得る、反復される低速付随制御チャネル（ＲＡＳＡＣＣＨ）手続きを示すブロック図である。
【図９】[0026]   図９は、いくつかの実施形態に従い、低速付随制御チャネル（ＳＡＣＣＨ）ブロックフォーマットを示すブロック図である。
【図１０】[0027]   図１０は、いくつかの実施形態に従い、基地局ハンドオーバの間、拡張された低速付随制御チャネル（ｅＳＡＣＣＨ）手続きを実行するための方法の流れ図である。
【図１１】[0028]   図１１は、いくつかの実施形態に従い、無線通信デバイスの中に含まれ得る、あるコンポーネントを示す。
【詳細な説明】
【００１９】
[0029]   図１は、本発明の実施形態に従い、複数の無線デバイスをもった無線通信システムを示すブロック図である。無線通信システム１００は、音声、データなどの様々なタイプの通信コンテンツを提供するために広く展開される。本発明の実施形態において、無線デバイスは、送信無線デバイス１０２、または、受信無線デバイス１０４であり得る。１つの構成において、送信無線デバイス１０２は基地局であり得、受信無線デバイス１０４は無線通信デバイスであってよい。他の構成では、送信無線デバイス１０２は無線通信デバイスであり得、受信無線デバイス１０４は基地局であってよい。
【００２０】
[0030]   基地局は、１つまたはそれより多くの無線通信デバイスと通信し得る局である。基地局は、アクセスポイント、放送送信機（broadcast transmitter）、ＮｏｄｅＢ、進化型ＮｏｄｅＢ、基地トランシーバ局などと呼ばれ得、それらの機能性のいくつかまたは全てを含んでよい。「基地局」という用語がこの中で用いられる。各基地局は、特定の地理的エリアのための通信カバレッジを提供し得る。基地局は、１つまたはそれより多くの無線通信デバイスのための通信カバレッジを提供し得る。「セル」という用語は、その用語が用いられる文脈に応じて、基地局および／またはそのカバレッジエリアを言うことができる。
【００２１】
[0031]   無線システム（例えば、多元接続システム）における通信は、無線リンク上の送信を通じて達成され得る。そのような通信リンクは、単一入力および単一出力（ＳＩＳＯ）、複数入力および単一出力（ＭＩＳＯ）、複数入力および複数出力（ＭＩＭＯ）のシステムを介して確立される。ＭＩＭＯシステムは、それぞれが、データ送信のための複数（ＮＴ）個の送信アンテナと複数（ＮＲ）個の受信アンテナを装備された送信機と受信機を含む。ＳＩＳＯとＭＩＳＯのシステムは、ＭＩＭＯシステムの特別な場合である。ＭＩＭＯシステムは、複数の送信アンテナと受信アンテナとによってつくられる追加の次元が利用される場合、改善された性能（例えば、より高いスループット、より大きな容量、または改善された信頼性）を提供することができる。
【００２２】
[0032]   無線通信システム１００は、ＭＩＭＯを利用し得る。ＭＩＭＯシステムは、時分割複信（ＴＤＤ）および周波数分割複信（ＦＤＤ）の両方をサポートし得る。ＴＤＤシステムでは、上りリンクおよび下りリンク送信は同じ周波数領域上にあり、相互性の原理が、上りリンクチャネルから下りリンクチャネルの推定をすることを可能にする。これは、送信する無線デバイスが、該送信する無線デバイス１０２によって受信されている通信から送信ビームフォーミングゲインを引き出すことを可能にする。
【００２３】
[0033]   無線通信システム１００は、利用可能なシステムリソース（例えば、帯域幅と送信電力）を共有することによって、複数の無線通信デバイスとの通信をサポートすることができる多元接続システムであってよい。そのような多元接続システムの例は、符号分割多元接続（ＣＤＭＡ）システム、ワイドバンド符号分割多元接続（Ｗ−ＣＤＭＡ）システム、時分割多元接続（ＴＤＭＡ）システム、周波数分割多元（ＦＤＭＡ）システム、直交周波数分割多元（ＯＦＤＭＡ）システム、エボーリューション・データ・オプティマイズド（evolution-data optimized）（ＥＶ−ＤＯ）、シングルキャリア周波数分割多元接続（ＳＣ−ＦＤＭＡ）システム、第３世代パートナーシッププロジェクト（３ＧＰＰ）・ロングタームエボリューション（ＬＴＥ）システム、および、空間分割多元接続（ＳＤＭＡ）システムを含む。
【００２４】
[0034]   「ネットワーク（network）」および「システム（system）」という用語は、互換的に使用されることが多い。ＣＤＭＡネットワークは、ユニバーサル地上無線アクセス（ＵＴＲＡ）、ｃｄｍａ２０００などのような無線技術を実装し得る。ｃｄｍａ２０００がＩＳ−２０００、ＩＳ−９５、およびＩＳ−８５６標準規格をカバーしている一方で、ＵＴＲＡは、Ｗ-ＣＤＭＡ、および低チップレート（ＬＣＲ）を含む。ＴＤＭＡネットワークは、モバイル通信のためのグローバルシステム（ＧＳＭ（登録商標））等の無線技術を実装しうる。ＯＦＤＭＡネットワークは、発展型ＵＴＲＡ（Ｅ−ＵＴＲＡ）、ＩＥＥＥ ８０２．１１、ＩＥＥＥ ８０２．１６、ＩＥＥＥ ８０２．２０、フラッシュ−ＯＦＤＭ等のような無線技術を実装し得る。ＵＴＲＡ、Ｅ−ＵＴＲＡ、およびＧＳＭは、ユニバーサル・モバイル・テレコミュニケーション・システム（ＵＭＴＳ）の一部である。ロングタームエボリューション（ＬＴＥ）は、Ｅ−ＵＴＲＡを使用するＵＭＴＳのリリース（版）である。ＵＴＲＡ，Ｅ−ＵＴＲＡ、ＧＳＭ，ＵＭＴＳ、およびロングタームエボリューション（ＬＴＥ）は、「第三世代パートナーシッププロジェクト（３ＧＰＰ）」と称される組織からのドキュメントに記述される。ｃｄｍａ２０００は、「第３世代パートナーシッププロジェクト２（３ＧＰＰ２）」と称される組織からのドキュメントに記述される。
【００２５】
[0035]   第３世代パートナーシッププロジェクト（３ＧＰＰ）は、グローバルに適用可能な第３世代（３Ｇ）の携帯電話仕様を定義することを目指した、テレコミュニケーション連合のグループ間の共同である。３ＧＰＰロングタームエボリューション（ＬＴＥ）は、ユニバーサル・モバイル・テレコミュニケーション・システム（ＵＭＴＳ）の携帯電話規格を改良することを目的とした、３ＧＰＰプロジェクトである。３ＧＰＰは、次世代のモバイルネットワーク、モバイルシステム、およびモバイルデバイスのための仕様を定義し得る。
【００２６】
[0036]   ３ＧＰＰロングタームエボリューション（ＬＴＥ）において、無線通信デバイスは、「ユーザ機器」（ＵＥ）と呼ばれ得る。また、無線通信デバイスは、端末、アクセス端末、加入者ユニット、ステーションと呼ばれ得、それらの機能のいくつかまたは全てを含み得る。無線通信デバイスは、セルラホン、パーソナル・デジタル・アシスタント（ＰＤＡ）、無線デバイス、無線モデム、ハンドヘルドデバイス、ラップトップコンピュータ、セッション・イニシエーション・プロトコル（ＳＩＰ）ホン、無線ローカルループ（ＷＬＬ）ステーション等であってよい。
【００２７】
[0037]  無線通信デバイスは、いずれかの所与の時において、下りリンクおよび／または上りリンクで、０、１、または複数の基地局と通信し得る。下りリンク（または順方向リンク）は、基地局から無線通信デバイスまでの通信リンクを指し、上りリンク（または逆方向リンク）は、無線通信デバイスから基地局までの通信リンクを指す。
【００２８】
[0038]   無線通信システム１００は、低速付随制御チャネル（ＳＡＣＣＨ）を使用し得る。低速付随制御チャネル（ＳＡＣＣＨ）は、情報が、受信無線デバイス１０４と送信無線デバイス１０２との間で交換されることを可能にし得る。低速付随制御チャネル（ＳＡＣＣＨ）情報は、主に、送信無線デバイス１０２と受信無線デバイス１０４との間の両方向でのＧＳＭ音声呼（voice calls）における無線リンクを維持することに役立つ、制御メッセージのために用いられる。低速付随制御チャネル（ＳＡＣＣＨ）情報は、下りリンクまたは上りリンク上で送信され得る。送信無線デバイス１０２は、低速付随制御チャネル（ＳＡＣＣＨ）ブロック１１２を送ることによって、音声呼の間、受信無線デバイス１０４と、低速付随制御チャネル（ＳＡＣＣＨ）情報を交換し得る。例えば、低速付随制御チャネル（ＳＡＣＣＨ）ブロック１１２は、システム情報（ＳＩ）とメッセージ情報（ＭＩ）を運び得る。受信無線デバイス１０４は、低速付随制御チャネル（ＳＡＣＣＨ）ブロック１１２が壊れているかどうかを決定するために、低速付随制御チャネル（ＳＡＣＣＨ）ブロック１１２上で完全性チェックを実行し得る。低速付随制御チャネル（ＳＡＣＣＨ）ブロック１１２が、過度に多くの回数、完全性チェックを通らない場合、呼が落とされ得る。
【００２９】
[0039]   受信無線デバイス１０４は、低速付随制御チャネル（ＳＡＣＣＨ）ブロック１１２」における情報のいくつかが壊れている場合でも、受信無線デバイス１０２が送信無線デバイス１０２と接続されたままであることを許容し得る、拡張された低速付随制御チャネル（ｅＳＡＣＣＨ）と呼ばれる先進の低速付随制御チャネル（ＳＡＣＣＨ）手続きを用いるよう装備され得る。低速付随制御チャネル（ＳＡＣＣＨ）ブロック１１２に格納され得る情報は、受信無線デバイス１０４が送信無線デバイス１０２との通信を継続するために必要である。各低速付随制御チャネル（ＳＡＣＣＨ）ブロック１１２は情報のこれらの断片を含み得るが、特定の送信無線デバイス１０２によって送られるシステム情報（ＳＩ）とメッセージ情報（ＭＩ）とは、あまり頻繁には変更されない。したがって、低速付随制御チャネル（ＳＡＣＣＨ）ブロック１１２が壊されることもあったとしても、壊れている、受信された低速付随制御チャネル（ＳＡＣＣＨ）ブロック１１２が十分に良好であるかどうかを決定することによって、受信無線デバイス１０４は、落とされる呼または他の送信無線デバイス１０２へのハンドオーバ（および、より好ましくない無線状態）を避け得る。
【００３０】
[0040]   受信無線デバイス１０４は、送信無線デバイス１０２から低速付随制御チャネル（ＳＡＣＣＨ）ブロック１１２を受信し得る。低速付随制御チャネル（ＳＡＣＣＨ）ブロック１１２は間欠的（periodically）に送信され得、または、低速付随制御チャネル（ＳＡＣＣＨ）ブロック１１２は、必要なときにのみ送信され得る。低速付随制御チャネル（ＳＡＣＣＨ）ブロック１１２を受信することに応じて、受信無線デバイス１０４は、完全性チェックを実行することによって、低速付随制御チャネル（ＳＡＣＣＨ）ブロック１１２が壊れているかどうかを決定し得る。低速付随制御チャネル（ＳＡＣＣＨ）ブロック１１２が完全性チェックをパスする都度、無線リンクカウンタが２だけ増加され得る。低速付随制御チャネル（ＳＡＣＣＨ）ブロック１１２が完全性チェックに通らない都度、無線リンクカウンタは１だけ減少され得る。送信無線デバイス１０２は、受信無線デバイス１０４に、無線リンクカウンタの初期値を与え得る。無線リンクカウンタが０に到達したとき、無線リンク失敗（radio link failure）が宣言され得、接続が受信無線デバイス１０４によって落とされ得る。これは、従来の低速付随制御チャネル（ＳＡＣＣＨ）の場合、受信された低速付随制御チャネル（ＳＡＣＣＨ）の完全性チェックが、受信された低速付随制御チャネル（ＳＡＣＣＨ）ブロック１１２の６６．６７％より多く通らない場合に、無線リンク失敗となり得ることを意味する。しかし、低速付随制御チャネル（ＳＡＣＣＨ）完全性チェックによる無線リンク失敗は、音声品質が問題となる前によく起こり得、早期の呼落ちにつながる。
【００３１】
[0041]   受信無線デバイス１０４は、送信される低速付随制御チャネル（ＳＡＣＣＨ）ブロック１１２に含まれる、特定の送信無線デバイス１０２に関連付けられたシステム情報（ＳＩ）とメッセージ情報（ＭＩ）の不変の値を利用することができる。したがって、受信された低速付随制御チャネル（ＳＡＣＣＨ）ブロック１１２が壊れていたとしても、低速付随制御チャネル（ＳＡＣＣＨ）ブロック１１２は、依然として、特定の低速付随制御チャネル（ＳＡＣＣＨ）ブロック１１２設定（例えば、システム情報（ＳＩ）またはメッセージ情報（ＭＩ））が変わらず、無線リンクカウンタが減少されないことを示すために、十分な破壊されていない情報を含み得る。例えば、受信無線デバイス１０４は、以前に受信された低速付随制御チャネル（ＳＡＣＣＨ）情報のデータベース（すなわち、拡張された低速付随制御チャネル（ｅＳＡＣＣＨ）記憶モジュール１２５）を維持し得る。
【００３２】
[0042]   受信無線デバイス１０４は、受信された低速付随制御チャネル（ＳＡＣＣＨ）ブロック１１２が、記憶された低速付随制御チャネル（ＳＡＣＣＨ）情報に十分に近いかどうかを決定するために、現在受信されている低速付随制御チャネル（ＳＡＣＣＨ）ブロック１１２を、記憶された低速付随制御チャネル（ＳＡＣＣＨ）情報と比較し得る。破壊された低速付随制御チャネル（ＳＡＣＣＨ）ブロック１１２情報が記憶された低速付随制御チャネル（ＳＡＣＣＨ）情報に十分に近い場合、受信無線デバイス１０４は、記憶された低速付随制御チャネル（ＳＡＣＣＨ）設定が既に更新されており（破壊された低速付随制御チャネル（ＳＡＣＣＨ）ブロック１１２情報によって）、落とされる呼／ハンドオーバが避けられ得ることを推定し得る。
【００３３】
[0043]   落とされる呼やハンドオーバの数を減らすために、拡張された低速付随制御チャネル（ｅＳＡＣＣＨ）手続きを実行し得る、拡張された低速付随制御チャネル（ｅＳＡＣＣＨ）受信モジュール１０６を含み得る。拡張された低速付随制御チャネル（ｅＳＡＣＣＨ）受信モジュール１０６は、送信無線デバイス１０２から、低速付随制御チャネル（ＳＡＣＣＨ）ブロック１１２を受信し得る。低速付随制御チャネル（ＳＡＣＣＨ）ブロック１１２を受信することに応じて、拡張された低速付随制御チャネル（ｅＳＡＣＣＨ）受信モジュール１０６は、低速付随制御チャネル（ＳＡＣＣＨ）ブロック１１２が完全性チェックを通らないかどうかを決定し得る。低速付随制御チャネル（ＳＡＣＣＨ）ブロック１１２が完全性チェックを通らない場合、拡張された低速付随制御チャネル（ｅＳＡＣＣＨ）受信モジュール１０６は、その低速付随制御チャネル（ＳＡＣＣＨ）ブロック１１２を、拡張された低速付随制御チャネル（ｅＳＡＣＣＨ）受信モジュール１０６上の拡張された低速付随制御チャネル（ｅＳＡＣＣＨ）記憶モジュール１２５にセーブ（save）された、記憶された低速付随制御チャネル（ＳＡＣＣＨ）ブロック１２２ａ−ｅと比較する。
【００３４】
[0044]   受信無線デバイスは、低速付随制御チャネル（ＳＡＣＣＨ）ブロック１１２と記憶された低速付随制御チャネル（ＳＡＣＣＨ）ブロック１２２ａ−ｅの１つまたはそれより多くとの間の相関レベルを決定することによって、低速付随制御チェネル（ＳＡＣＣＨ）ブロック１１２が記憶された低速付随制御チャネル（ＳＡＣＣＨ）ブロック１２２ａ−ｅにどれくらい類似しているかを決定し得る。低速付随制御チャネル（ＳＡＣＣＨ）ブロック１１２は、記憶された低速付随制御チャネル（ＳＡＣＣＨ）ブロック１２２ａ−ｅの１つにのみ対応する情報（例えば、システム情報（ＳＩ）またはメッセージ情報（ＭＩ）を含み得る。さらに、低速付随制御チャネル（ＳＡＣＣＨ）ブロック１１２は、異なるタイプのシステム情報（例えば、システム情報タイプ５（ＳＩ５）、システム情報タイプ５ｂｉｓ（ＳＩ５ｂｉｓ）、システム情報タイプ５ｔｅｒ（ＳＩ５ｔｅｒ）、および、システム情報タイプ６（ＳＩ６））。
【００３５】
[0045]  相関レベルは、どのタイプのシステム情報（ＳＩ）またはメッセージ情報（ＭＩ）が低速付随制御チャネル（ＳＡＣＣＨ）ブロック１１２に含まれ得るかを特定するために用いられ得る。１つの構成では、受信無線デバイス１０４は、受信された低速付随制御チャネル（ＳＡＣＣＨ）ブロック１１２と記憶された低速付随制御チャネル（ＳＡＣＣＨ）ブロック１２２ａ−ｅの各々との間の相関レベル（すなわち、５つの異なる相関レベル）を決定し得る。最大の相関レベル（５つの決定された相関レベルもうちの）は、どのタイプの情報が低速付随制御チャネル（ＳＡＣＣＨ）ブロック１１２は、に含まれている可能性があるかを示し得る。例えば、最大の相関レベルがシステム情報タイプ５（ＳＩ５）を含む記憶された低速付随制御チャネル（ＳＡＣＣＨ）ブロック１２２に対応する相関レベルである場合、低速付随制御チャネル（ＳＡＣＣＨ）ブロック１１２は、システム情報タイプ５（ＳＩ５）を含む可能性が高いことが決定される。
【００３６】
[0046]   最大の相関レベルが、拡張された低速付随制御チャネル（ｅＳＡＣＣＨ）受信モジュール１０６上で、しきい値より上である場合、拡張された低速付随制御チャネル（ｅＳＡＣＣＨ）受信モジュール１０６は、受信された低速付随制御チャネル（ＳＡＣＣＨ）ブロック１１２の代わりに、記憶された低速付随制御チャネル（ＳＡＣＣＨ）ブロック１２２の１つまたはそれより多くを用い得る。しきい値１２６は、拡張された低速付随制御チャネル（ｅＳＡＣＣＨ）受信モジュール１０６上でプリセットされ、または、しきい値１２６は、継続的に更新されてもよい。
【００３７】
[0047]   拡張された低速付随制御チャネル（ｅＳＡＣＣＨ）手続きは、また、１つの基地局から他へのハンドオーバの間の落とされた呼の数を減らし得る。ハンドオーバは、無線通信デバイスが１つの基地局のカバレッジ領域から他に移動するときに起こり得る。しかし、無線通信デバイスは、頻繁に、２つまたはそれより多くの基地局のカバレッジ領域の中に存在し得る。第１の基地局についての信号品質が最小限の受容可能レベルより下回る場合、無線通信デバイスは、第２の基地局へのハンドオーバを試み得る。ハンドオーバが失敗する場合（例えば、第２の基地局の信号品質が第１の基地局よりも悪い場合）、無線通信デバイスは、第１の基地局との接続を再確立することを試み得る。この遷移の間、無線リンクカウンタが０に落ち、呼が落とされ得る。
【００３８】
[0048]   落とされる呼の数を減らすために、拡張された低速付随制御チャネル（ｅＳＡＣＣＨ）受信モジュールは、ハンドオーバ記憶モジュール１１６を含み得る。ハンドオーバ記憶モジュール１１６は、テンポラリ低速付随制御チャネル（ＳＡＣＣＨ）ブロック１２４ａ−ｅを含み得る。ハンドオーバがシグナルされる場合、受信無線デバイス１０４（この場合、無線通信デバイス）は、記憶された低速付随制御チャネル（ＳＡＣＣＨ）ブロック１２２ａ−ｅを、テンポラリ低速付随制御チャネル（ＳＡＣＣＨ）ブロック１２４ａ−ｅにセーブ（save）する。
【００３９】
[0049]   ハンドオーバ失敗の場合において、受信無線デバイス１０４は、拡張された低速付随制御チャネル（ｅＳＡＣＣＨ）手続きにおける更なる使用のために、テンポラリ低速付随制御チャネル（ＳＡＣＣＨ）ブロック１２４ａ−ｅから記憶された低速付随制御チャネル（ＳＡＣＣＨ）ブロック１２２ａ−ｅを再格納し得る。これは、拡張された低速付随制御チャネル（ｅＳＡＣＣＨ）受信モジュール１０６が、ハンドオーバの間に第１の基地局に対応する低速付随制御チャネル（ＳＡＣＣＨ）ブロック１２２を維持することを可能にし、ハンドオーバが失敗した場合、拡張された低速付随制御チャネル（ｅＳＡＣＣＨ）受信モジュール１０６が、第１の基地局から低速付随制御チャネル（ＳＡＣＣＨ）ブロック１２２を再取得しなければいけないことなく、テンポラリ低速付随制御チャネル（ＳＡＣＣＨ）ブロック１２４に記憶された、維持されている低速付随制御チャネル（ＳＡＣＣＨ）ブロックを再利用し得ることを保証する。基地局ハンドオーバのコンテキストにおける拡張された低速付随制御チャネル（ｅＳＡＣＣＨ）手続きは、図１０に関連し、下に追加的な詳細で検討される。
【００４０】
[0050]   受信無線デバイス１０４は、送信無線デバイス１０２が配分する方法の利益を享受し得、複数のサブセットにおいて低速付随制御チャネル（ＳＡＣＣＨ）ブロック１１２を送る。受信無線デバイス１０４は、複数の無線バースト１１８ａ−ｄにおいて、低速付随制御チャネル（ＳＡＣＣＨ）ブロック１１２のこれらサブセット受信する。例えば、送信無線デバイス１０２は、４つのバースト１１８ａ−ｄにおいて、低速付随制御チャネル（ＳＡＣＣＨ）ブロック１１２を、受信無線デバイス１０４に送る。各バースト１１８は、組み合わされた場合、４５６ビット低速付随制御チャネル（ＳＡＣＣＨ）ブロック１１２を形成する、１１４ペイロードビットを含み得る。１つの構成において、拡張された低速付随制御チャネル（ｅＳＡＣＣＨ）手続きは、低速付随制御チャネル（ＳＡＣＣＨ）ブロック１１２上での代わりに、４つのバースト１１８ａ−ｄの１つのみの上で実行され得る。したがって、相関レベルは、完全な４５６ビット低速付随制御チャネル（ＳＡＣＣＨ）ブロック１１２の代わりに、バースト１１８の１１４ビットについて決定され得、それは電力消費における省電力を提供し得る。
【００４１】
[0051]   低速付随制御チャネル（ＳＡＣＣＨ）ブロック１１２は、メッセージＩＤ １２０を含み得る。メッセージＩＤ １２０は、低速付随制御チャネル（ＳＡＣＣＨ）ブロック１１２に含まれ得る情報のタイプを示し得る。メッセージＩＤ １２０は、低速付随制御チャネル（ＳＡＣＣＨ）ブロック１１２が、システム情報（ＳＩ）、メッセージ情報（ＭＩ）、ショートメッセージサービス（ＳＭＳ）メッセージかどうかを示す、低速付随制御チャネル（ＳＡＣＣＨ）ブロック１１２の中のビット（複数）であり得る。
【００４２】
[0052]  受信無線デバイス１０４は、拡張された低速付随制御チャネル（ｅＳＡＣＣＨ）手続きにおける使用のために、現在の電力制御レベル（ＰＣＬ）１０７と現在のタイミング進度１０９を含み得る。下りリンク上で送信される各低速付随制御チャネル（ＳＡＣＣＨ）ブロック１１２は、電力制御レベル（ＰＣＬ）とタイミング進度を含み得る。電力制御レベル（ＰＣＬ）は、無線通信デバイス使用するべきである上りリンク電力についての情報を運ぶ。タイミング進度は、無線通信デバイスについてのタイミング修正情報を含む、ネットワーク（例えば、基地局）からの割り当てであり得る。
【００４３】
[0053]  １つの構成では、受信無線デバイス１０４は、下りリンク上で、低速付随制御チャネル（ＳＡＣＣＨ）ブロック１１２を受信し得る。低速付随制御チャネル（ＳＡＣＣＨ）ブロック１１２が完全性チェックをパスした場合、受信無線デバイス１０４は、低速付随制御チャネル（ＳＡＣＣＨ）に含まれる電力制御レベル（ＰＣＬ）を、現在の電力制御レベル（ＰＣＬ）１０７にセーブし得る。同様に、低速付随制御チャネル（ＳＡＣＣＨ）ブロック１１２が完全性チェックをパスした場合、受信無線デバイス１０４は、低速付随制御チャネル（ＳＡＣＣＨ）ブロック１１２に含まれるタイミング進度を、現在のタイミング進度１０９にセーブし得る。したがって、低速付随制御チャネル（ＳＡＣＣＨ）ブロック１１２が完全性チェックをパスする度に、受信無線デバイス１０４は、最も現在の電力制御レベル（ＰＣＬ）とタイミング進度を格納し得る。
【００４４】
[0054]  現在の電力制御レベル（ＰＣＬ）１０７と現在のタイミング進度１０９は、下に記載されたように、低速付随制御チャネル（ＳＡＣＣＨ）ブロック１１２が完全性チェックを通らなかったとき、拡張された低速付随制御チャネル（ｅＳＡＣＣＨ）手続きにおいて使用され得る。例えば、受信無線デバイス１０４は、もっとも最近の電力制御レベル（ＰＣＬ）とタイミング進度が用いられることを保証するために、現在の電力制御レベル（ＰＣＬ）１０７と現在のタイミング進度１０９を再使用し得る。
【００４５】
[0055]  図２は、本発明の実施形態にしたがった無線ネットワーク２００を示すブロック図である。無線ネットワーク２００は、モバイル通信のためのグローバルシステム（Global System for Mobile Communications）（ＧＳＭ（登録商標））の規格にしたがって動作し得、ＧＳＭネットワークと呼ばれ得る。ＧＳＭネットワークは、ＧＳＭネットワークが含み得る、基地局２０２ａ−ｄと基地局２０２ａ−ｄのための制御機器（例えば、基地局コントローラ（ＢＳＣ）２３６ａ−ｂ）についての総称であり、アクセスネットワーク（ＡＮ）２３４を形成する。ＧＳＭネットワークは、無線通信デバイス２０４のためのエアインタフェースアクセス方法を提供する。１つの構成において、無線通信デバイス２０４は、拡張された低速付随制御チャネル（ｅＳＡＣＣＨ）受信モジュール２０６を含み得る。接続性は、ＧＳＭネットワークによって、無線通信デバイス２０４とコアネットワーク２２８との間に与えられる。アクセスネットワーク（ＡＮ）２３４は、複数の無線通信デバイス２０４の間のデータパケットを搬送する。
【００４６】
[0056]  ＧＳＭネットワークは、様々なインタフェース（例えば、Ａインタフェース２３０ａ−ｂ、Ａｂｉｓインタフェース２３８ａ−ｄ、Ｕｍインタフェース２４０）によって、内部的にまたは外部的に、他の機能体に接続され得る。ＧＳＭネットワークは、外部インタフェース（例えば、Ａインタフェース２３０ａ−ｂ）を介してコアネットワーク２２８に付けられる。基地局コントローラ（ＢＳＣ）２３６ａ−ｂは、このインタフェースをサポートする。加えて、基地局コントローラ（ＢＳＣ）２３６ａ−ｂは、Ａｂｉｓインタフェース２３８ａ−ｄを介して、１組の基地局２０２ａ−ｄを管理する。基地局コントローラ（ＢＳＣ）２３６ａと管理される基地局２０２ａ−ｂは、基地局システム（ＢＳＳ）２３２ａを形成する。基地局コントローラ（ＢＳＣ）２３６ｂと管理される基地局２０２ｃ−ｄは、基地局システム（ＢＳＳ）２３２ｂを形成する。Ｕｍインタフェース２４０は、基地局を、無線通信デバイスと接続し、一方、Ａｂｉｓインタフェース２３８は、基地局コントローラ（ＢＳＣ）２３６を基地局に接続する内部インタフェースである。
【００４７】
[0057]  無線ネットワーク２００は、コーポレートインターネット（corporate intranet）、ジ・インターネット（the Internet）、または、従来の公衆回線電話ネットワーク等の、無線ネットワーク２００の外の追加のネットワークにさらに接続され得る。無線ネットワーク２００は、各無線通信デバイス２０４と前述の外のネットワークとの間で、データパケットを搬送し得る。
【００４８】
[0058]  図３は、本発明の実施形態での使用のためのＵｍインタフェース示すブロック図である。ＵＭインタフェース３４０は、ＧＳＭネットワーク２００のためのエアインタフェースである。
【００４９】
Ｕｍインタフェースは、受信無線デバイス１０４と送信無線デバイス１０２との間（すなわち、基地局と無線通信デバイスと間）のインタフェースである。Ｕｍインタフェース３４０は、３つのレイヤ（物理レイヤ（Ｌ１）３４６、データリンクレイヤ（Ｌ２）３５０、およびネットワークレイヤ（Ｌ３）３５２）を含み得る。同様の通信機能が、論理レイヤの中にグループ化される。レイヤは、それより上のレイヤをサービスし、それより下のレイヤによるサービスを受ける。
【００５０】
[0059]  物理レイヤ（Ｌ１）３４６は、デバイス（例えば、送信無線デバイス１０２および受信無線デバイス１０４）のための電気的および物理的仕様を定義し得る。特に、物理レイヤ（Ｌ１）３４６は、デバイス（例えば、受信無線デバイス１０４）と送信媒体（例えば、無線インタフェース）との間の関係を定義し得る。データリンクレイヤ（Ｌ２）３５０は、ネットワークエンティティ間でデータを搬送し、物理レイヤ（Ｌ１）３４６において起こり得るエラーを蓋然的に修正するために、機能的及び手続き的な手段を提供し得る。
【００５１】
[0060]  データリンクレイヤ（Ｌ２）３５０は、デバイス間でのフレームのローカル配信を扱う。フレームは、フレーム同期シーケンスを含み得るデジタルデータ送信ユニット（単位）である。フレーム同期シーケンスは、受信機（例えば、受信無線デバイス１０４）のために、シンボルまたはビットのストリームにおけるパケットの開始と終了を検出することを可能にし得る、ビット綿はシンボルのシーケンスを含み得る。例えば、受信機がフレームの中間でシステムに接続する場合、受信機は、受信機が新しい同期シーケンスを検出するまで、データを無視する。
【００５２】
[0061]  ネットワークレイヤ（Ｌ３）３５２は、１つのネットワーク上のソースホストから異なるネットワーク上のデスティネーションホストへの、可変長データシーケンスの搬送を扱い得る。これは、同じネットワークの中のホストを接続する、データリンクレイヤ（Ｌ２）３５０と対照的である。ネットワークレイヤ（Ｌ３）３５２は、特定されたサービス品質を維持し得る。ネットワークレイヤ（Ｌ３）３５２は、また、ネットワークルーティング機能を実行し得る。
【００５３】
[0062]  Ｕｍインタフェース３４０の中で、物理レイヤ（Ｌ１）３４６は、低速付随制御チャネル（ＳＡＣＣＨ）３４８を含み得る。低速付随制御チャネル（ＳＡＣＣＨ）３４８は、低速付随制御チャネル（ＳＡＣＣＨ）ブロック１１２の中で、システム情報（ＳＩ）、メッセージ情報（ＭＩ）、および、ショートメッセージサービス（ＳＭＳ）メッセージを運び得る。低速付随制御チャネル（ＳＡＣＣＨ）ブロック１１２は、バーストあたり１１４ペイロードビットをもった４つのバースト１１８ａ−ｄにおいて、無線インタフェースを介して、物理レイヤ（Ｌ１）３４６の低速付随制御チャネル（ＳＡＣＣＨ）３４８上で送信され得る。バースト１１８ａ−ｄを受信すると、受信無線デバイス１０４）は、低速付随制御チャネル（ＳＡＣＣＨ）ブロック１１２を再構築するために、バースト１１８ａ−ｄを処理し得る。低速付随制御チャネル（ＳＡＣＣＨ）ブロック１１２は、解読され（deciphered）、デインタリーブされ（deinterleaved）、および、デコードされ得る。受信無線デバイス１０４は、受信された低速付随制御チャネル（ＳＡＣＣＨ）ブロック１１２の完全性を確認するために、完全性チェック（例えば、巡回冗長チェック（ＣＲＣ））を実行し得る。低速付随制御チャネル（ＳＡＣＣＨ）ブロック１１２が完全性チェックをパスする場合、低速付随制御チャネル（ＳＡＣＣＨ）ブロック１１２に含まれた情報は、Ｕｍインタフェースのより高いレベル（例えば、データリンクレイヤ（Ｌ２）３５０）上に渡され得る。
【００５４】
[0063]  現発明の１つの実施形態において、記憶された低速付随制御チャネル（ＳＡＣＣＨ）ブロック１２２は、受信無線デバイス１０４のデータリンクレイヤ（Ｌ２）３５０に渡され得る。従来の低速付随制御チャネル（ＳＡＣＣＨ）デコーディングにおいて、低速付随制御チャネル（ＳＡＣＣＨ）ブロック１１２が完全性チェック（例えば、巡回冗長チェック（ＣＲＣ））をパスする場合、低速付随制御チャネル（ＳＡＣＣＨ）ブロック１１２は，データリンクレイヤ（Ｌ２）３５０に渡される。低速付随制御チャネル（ＳＡＣＣＨ）ブロック１１２が完全性チェックパスしない場合（例えば、低速付随制御チャネル（ＳＡＣＣＨ）ブロック１１２が壊れている場合）、低速付随制御チャネル（ＳＡＣＣＨ）ブロック１１２はデータリンクレイヤ（Ｌ２）にパスされず、呼が落とされ得る。しかし、拡張された低速付随制御チャネル（ｅＳＡＣＣＨ）手続きを行うことによって、受信無線デバイス１０４は、現在受信されている低速付随制御チャネル（ＳＡＣＣＨ）ブロック１１２と記憶されている低速付随制御チャネル（ＳＡＣＣＨ）ブロック１２２ａ−ｅとの間の最大相関レベルがしきい値１２６より上かどうかを決定し得る。相関レベルがしきい値１２６より上である場合、受信無線デバイス１０４は、記憶された低速付随制御チャネル（ＳＡＣＣＨ）ブロック１２２を、データリンクレイヤ（Ｌ２）３５０に渡し得る。
【００５５】
[0064]  図４は、拡張された低速付随制御チャネル（ｅＳＡＣＣＨ）手続きを実行するための方法４００の流れ図である。方法４００は、受信無線デバイス１０４によって実行され得る。１つの構成において、受信無線デバイス１０４は、拡張された低速付随制御チャネル（ｅＳＡＣＣＨ）受信モジュール１０６を含み得る。受信無線デバイス１０４は低速付随制御チャネル（ＳＡＣＣＨ）ブロック１１２を受信し得る（４０２）。低速付随制御チャネル（ＳＡＣＣＨ）ブロック１１２は、送信無線デバイス１０２から受信され得る（４０２）。１つの構成では、低速付随制御チャネル（ＳＡＣＣＨ）ブロック１１２は、４つのバースト１１８ａ−ｄにおいて受信され得る。各バースト１１８ａ−ｄは、低速付随制御チャネル（ＳＡＣＣＨ）ブロック１１２によって運ばれる情報を表すビットまたはシンボルを含み得る。バースト１１８ａ−ｄを受信することに応じて、受信無線デバイス１０４は、低速付随制御チャネル（ＳＡＣＣＨ）ブロック１１２を再構築するために、バースト１１８ａ−ｄを処理し得る。
【００５６】
[0065]  受信無線デバイス１０４は、低速付随制御チャネル（ＳＡＣＣＨ）ブロック１１２上で、完全性チェックを実行し得る（４０４）。例えば、受信無線デバイス１０４は、低速付随制御チャネル（ＳＡＣＣＨ）ブロック１１２上で、巡回冗長チェック（ＣＲＣ）を行い得る（４０４）。巡回冗長チェック（ＣＲＣ）は、低速付随制御チャネル（ＳＡＣＣＨ）ブロック１１２を形成する未処理のデータへの変更を検出することにより、低速付随制御チャネル（ＳＡＣＣＨ）ブロック１１２が壊れているかどうかを決定し得る。
【００５７】
[0066]  受信無線デバイス１０４は、低速付随制御チャネル（ＳＡＣＣＨ）ブロック１１２が完全性チェックをパスするかどうかを決定し得る（４０６）。低速付随制御チャネル（ＳＡＣＣＨ）ブロック１１２が完全性チェックをパスする場合、受信無線デバイス１０４は、電力制御レベル（ＰＣＬ）とタイミング進度をセーブし得る（４０７）。電力制御レベル（ＰＣＬ）は、下りリンク上で送られる低速付随制御チャネル（ＳＡＣＣＨ）ブロック１１２の中に含まれる。受信無線デバイス１０４は、電力制御レベル（ＰＣＬ）を、現在の電力制御レベル（ＰＣＬ）１０７にセーブし得る（４０７）。受信無線デバイス１０４は、また、タイミング進度を、現在のタイミング進度１０９にセーブし得る。
【００５８】
[0067]  受信無線デバイス１０４は、低速付随制御チャネル（ＳＡＣＣＨ）ブロック１１２のメッセージＩＤ１０２を得得る（４０８）。メッセージＩＤ１２０は、低速付随制御チャネル（ＳＡＣＣＨ）ブロック１１２に含まれ得る情報の対応を示し得る。メッセージＩＤ１２０は、低速付随制御チャネル（ＳＡＣＣＨ）ブロック１１２が、システム情報（ＳＩ）、メッセージ情報（ＭＩ）、または、ショートメッセージサービス（ＳＭＳ）メッセージであるかどうかを示す、低速付随制御チャネル（ＳＡＣＣＨ）ブロック１１２の中のあるビット（複数）であってよい。１つの構成において、受信無線デバイス１０４は、低速付随制御チャネル（ＳＡＣＣＨ）ブロック１１２のあるビット（複数）を評価することによって、低速付随制御チャネル（ＳＡＣＣＨ）ブロック１１２のメッセージＩＤ１２０を得ることができる（４０８）。
【００５９】
[0068]  受信無線デバイス１０４は、メッセージＩＤ１２０が、低速付随制御チャネル（ＳＡＣＣＨ）ブロック１１２がシステム情報（ＳＩ）またはメッセージ情報（ＭＩ）を含むことを示すかどうかを決定し得る（４１０）。
【００６０】
メッセージＩＤ１２０が、低速付随制御チャネル（ＳＡＣＣＨ）ブロック１１２がシステム情報（ＳＩ）またはメッセージ情報（ＭＩ）を含まないことを示す場合、拡張された低速付随制御チャネル（ｅＳＡＣＣＨ）記憶モジュール１２５において、低速付随制御チャネル（ＳＡＣＣＨ）ブロック１１２を記憶される低速付随制御チャネル（ＳＡＣＣＨ）ブロック１２２ａ−ｅの１つにセーブすることなく、拡張された低速付随制御チャネル（ｅＳＡＣＣＨ）手続きが終了する（４１２）。言い換えると、メッセージＩＤ１２０は、メッセージＩＤ１２０が、低速付随制御チャネル（ＳＡＣＣＨ）ブロック１１２がショートメッセージサービス（ＳＭＳ）情報を含むことを示す場合、低速付随制御チャネル（ＳＡＣＣＨ）ブロック１１２を、記憶される低速付随制御チャネル（ＳＡＣＣＨ）ブロック１２２ａ−ｅにセーブすることなく、拡張された低速付随制御チャネル（ｅＳＡＣＣＨ）手続きが終了する（４１２）。
【００６１】
[0069]  受信無線デバイス１０４は、低速付随制御チャネル（ＳＡＣＣＨ）ブロック１１２がシステム情報（ＳＩ）またはメッセージ情報（ＭＩ）を含むことを、メッセージＩＤ１２０が示すことを決定し（４１０）、受信無線デバイス１０４は、低速付随制御チャネル（ＳＡＣＣＨ）ブロック１１２のメッセージＩＤ１２０にもとづいて、記憶された低速付随制御チャネル（ＳＡＣＣＨ）ブロック１２２ａ−ｅを低速付随制御チャネル（ＳＡＣＣＨ）ブロック１１２と置き換え得る（４１４）。１つの構成において、低速付随制御チャネル（ＳＡＣＣＨ）ブロック１１２がシステム情報（ＳＩ）またはメッセージ情報（ＭＩ）を含む場合、拡張された低速付随制御チャネル（ｅＳＡＣＣＨ）手続きにおける将来の使用のために、低速付随制御チャネル（ＳＡＣＣＨ）ブロック１１２はバッファにセーブされる（例えば、記憶された低速付随制御チャネル（ＳＡＣＣＨ）ブロック１２２）。例えば、低速付随制御チャネル（ＳＡＣＣＨ）ブロック１１２がシステム情報タイプ５（ＳＩ５）を含むことを、メッセージＩＤが示す場合、低速付随制御チャネル（ＳＡＣＣＨ）ブロック１１２は、システム情報タイプ５（ＳＩ５）を含む記憶される低速付随制御チャネル（ＳＡＣＣＨ）ブロック１２２にセーブされ得る。
【００６２】
[0070]  受信無線デバイス１０４は、低速付随制御チャネル（ＳＡＣＣＨ）ブロック１１２が完全性チェックをパスしないことを決定し得る（４０６）。例えば、低速付随制御チャネル（ＳＡＣＣＨ）ブロック１１２が壊れている場合、低速付随制御チャネル（ＳＡＣＣＨ）ブロック１１２は、完全性チェック（例えば、巡回冗長チェック（ＣＲＣ））を失敗し得る。
【００６３】
[0071]  低速付随制御チェネル（ＳＡＣＣＨ）ブロック１１２が完全性チェックをパスしない場合、受信無線デバイス１０４は、低速付随制御チャネル（ＳＡＣＣＨ）ブロック１１２と記憶された低速付随制御チャネル（ＳＡＣＣＨ）ブロック１２２ａ−ｅとの間の相関レベルを決定し得る（４１６）。１つの構成において、受信無線デバイス１０４は、最大の相関レベルを決定するために、低速付随制御チャネル（ＳＡＣＣＨ）ブロック１１２と記憶された低速付随制御チャネル（ＳＡＣＣＨ）ブロック１２２ａ−ｅの各々との間の相関レベルを決定し得る（４１６）。例として、相関レベルは、低速付随制御チャネル（ＳＡＣＣＨ）ブロック１１２と記憶された低速付随制御チャネル（ＳＡＣＣＨ）ブロック１２２ａ−ｅとの上でパターンマッチングを行うことによって決定され得る（４１６）。
【００６４】
[0072]  低速付随制御チャネル（ＳＡＣＣＨ）ブロック１１２が記憶された低速付随制御チャネル（ＳＡＣＣＨ）ブロック１２２ａ−ｅにどれだけ類似しているかを決定するために、低速付随制御チャネル（ＳＡＣＣＨ）ブロック１１２を形成するビットは、記憶された低速付随制御チャネル（ＳＡＣＣＨ）ブロック１２２を形成するビット比較され得る。１つの構成では、相関レベルは低速付随制御チャネル（ＳＡＣＣＨ）ブロック１１２と記憶された低速付随制御チャネル（ＳＡＣＣＨ）ブロック１２２ａ−ｅの１つとの間の類似度のパーセントであってよい。
【００６５】
[0073]  低速付随制御チャネル（ＳＡＣＣＨ）ブロック１１２と記憶された低速付随制御チャネル（ＳＡＣＣＨ）ブロック１２２ａ−ｅの各々との間の相関レベルを決定することに応じて、最大の相関レベルが決定され得る。例えば、最大の相関レベルは、低速付随制御チャネル（ＳＡＣＣＨ）ブロック１１２と記憶された低速付随制御チャネル（ＳＡＣＣＨ）ブロック１２２ａ−ｅの各々との間のパターンマッチングの間に見つけられたベストマッチであってよい。受信無線デバイス１０４は、最大相関レベルがしきい値より上であるかどうかを決定し得る（４１８）。受信無線デバイス１０４は、下に書かれるように、最大相関レベルに基づいて、記憶された低速付随制御チャネル（ＳＡＣＣＨ）ブロック１２２ａ−ｅを設定し得る。
【００６６】
[0074]  しきい値１２６は、低速付随制御チャネル（ＳＡＣＣＨ）ブロック１１２と対応する記憶された低速付随制御チャネル（ＳＡＣＣＨ）ブロック１２２との間の差の受け入れ可能な程度を示し得る。例えば、しきい値１２６は、しきい値１２６より上であるために、低速付随制御チャネル（ＳＡＣＣＨ）ブロック１１２が対応する記憶された低速付随制御チャネル（ＳＡＣＣＨ）ブロック１２２に少なくとも７０％類似しなければならないことを示す、０．７のあたいを有し得る。
【００６７】
[0075]  受信無線デバイス１０４が、最大の相関レベルがしきい値１２６より上でないことを決定する（４１８）場合、受信無線デバイス１０４は、反復される低速付随制御チャネル（ＲＳＡＣＣＨ）手続きを実行し得る（４２０）。最大の相関レベルがしきい値１２６より上でない場合、低速付随制御チャネル（ＳＡＣＣＨ）ブロック１１２は、壊れすぎていて、破棄され得る。受信無線デバイス１０４は、壊れていない低速付随制御チャネル（ＳＡＣＣＨ）ブロック１１２を得ようと試みるために、反復される低速付随制御チャネル（ＲＳＡＣＣＨ）手続きを使用し得る。
【００６８】
[0076]  反復される低速付随制御チャネル（ＲＳＡＣＣＨ）手続きを介して、受信無線デバイス１０４は、送信無線デバイス１０２に、低速付随制御チャネル（ＳＡＣＣＨ）ブロック１１２が成功裡に受信されなかったことを知らせようと試み得る。受信無線デバイス１０４は、他の低速付随制御チャネル（ＳＡＣＣＨ）ブロック１１２を送るよう、送信無線デバイス１０２に要求し得る。反復される低速付随制御チャネル（ＲＳＡＣＣＨ）手続きは、図８に関連して、下で検討される。したがって、受信無線デバイス１０４は、反復される低速付随制御チャネル（ＲＳＡＣＣＨ）手続きを実行する（４２０）ことによって、記憶された低速付随制御チャネル（ＳＡＣＣＨ）ブロック１２２ａ−ｅを設定し得る。
【００６９】
[0077]  受信無線デバイス１０４が、最大の相関レベルがしきい値１２６より上であることを決定する（４１８）場合、受信無線デバイス１０４は、記憶された低速付随制御チャネル（ＳＡＣＣＨ）ブロック１２２ａ−ｅ、現在の受信電力制御レベル（ＰＣＬ）１０７、および、現在のタイミング進度１０９を再利用し得る（４２２）。受信無線デバイス１０４は、引き続く拡張された低速付随制御チャネル（ｅＳＡＣＣＨ）手続きのために、記憶された低速付随制御チャネル（ＳＡＣＣＨ）ブロック１２２ａ−ｅの各々を再利用し得る（４２２）。
【００７０】
[0078]  したがって、受信無線デバイス１０４は、引き続く拡張された低速付随制御チャネル（ｅＳＡＣＣＨ）手続きのために、記憶された低速付随制御チャネル（ＳＡＣＣＨ）ブロック１２２ａ−ｅの各々を再利用することによって、記憶される低速付随制御チャネル（ＳＡＣＣＨ）ブロック１２２ａ−ｅを設定し得る。加えて、受信無線デバイス１０４は、図３に関連して記載されるように、記憶された低速付随制御チャネル（ＳＡＣＣＨ）ブロック１２２ａ−ｅの値を、Ｕｍインタフェース３４０の上位レイヤに渡すことによって、記憶された低速付随制御チャネル（ＳＡＣＣＨ）ブロック１２２ａ−ｅの各々を再利用し得る（４２２）。
【００７１】
[0079]  受信無線デバイス１０４は、加えて、現在の電力制御レベル（ＰＣＬ）１０７と現在のタイミング進度１０９を再利用し得る（４２２）。受信無線デバイス１０４は、記憶された低速付随制御チャネル（ＳＡＣＣＨ）ブロック１２２ａ−ｅに含まれ得る電力制御レベル（ＰＣＬ）とタイミング進度の代わりに、現在の電力制御レベル（ＰＣＬ）１０７と現在あのタイミング進度１０９を再利用し得る（４２２）。したがって、古い電力制御レベル（ＰＣＬ）とタイミング進度の情報を用いる代わりに、受信無線デバイス１０４は、完全性チェックをパスするために最後の低速付随制御チャネル（ＳＡＣＣＨ）ブロック１１２含まれていた、最も近くの電力制御レベル（ＰＣＬ）とタイミング進度を再利用し得る（４２２）。受信無線デバイス１０４は、現在の電力制御レベル（ＰＣＬ）１０７と現在のタイミング進度１０９を、Ｕｍインタフェース３４０の上位レイヤに渡すことによって、現在の電力制御レベル（ＰＣＬ）１０７と現在のタイミング進度１０９を再利用し得る（４２２）。
【００７２】
[0080]  図５は、基地局５０２から無線通信デバイス５０４への低速付随制御チャネル（ＳＡＣＣＨ）ブロック５１２の送信を図示するブロック図である。この構成において、基地局５０２は、送信無線デバイス１０２に対応し、無線通信デバイス５０４は、図１に関連して上記された受信無線デバイス１０４に対応する。
【００７３】
[0081]  基地局５０２は、下りリンク上で低速付随制御チャネル（ＳＡＣＣＨ）ブロック５１２を送信することによって、無線通信デバイス５０４に、低速付随制御チャネル（ＳＡＣＣＨ）情報を与える。基地局５０２は、呼の期間の間、無線通信デバイス５０４に、低速付随制御チャネル（ＳＡＣＣＨ）ブロック５１２を送り得る。
【００７４】
[0082]  基地局５０２は、４つのバースト５１８ａ−ｄにおいて、無線通信デバイス５０４に、低速付随制御チャネル（ＳＡＣＣＨ）ブロック５１２を送り得る。各バースト５１８は、組み合わされたとき、４５６ビットの低速付随制御チャネル（ＳＡＣＣＨ）ブロック５１２を形成する、１１４ペイロードビットを含み得る。
【００７５】
低速付随制御チャネル（ＳＡＣＣＨ）ブロック５１２は、加えて、低速付随制御チャネル（ＳＡＣＣＨ）ブロック５１２に含まれ得る情報のタイプを示し得るメッセージＩＤ５２０を含み得る。
【００７６】
[0083]  メッセージＩＤ５２０は、低速付随制御チャネル（ＳＡＣＣＨ）ブロック５１２にどんなタイプの情報が含まれるかを示す、低速付随制御チャネル（ＳＡＣＣＨ）ブロック５１２におけるあるビット（複数）であってよい。低速付随制御チャネル（ＳＡＣＣＨ）ブロック５１２は、システム情報（ＳＩ）、メッセージ情報（ＭＩ）、または、ショートメッセージサービス（ＳＭＳ）情報を含み得る。システム情報は、システム情報タイプ５（ＳＩ５）、システム情報タイプ５ｂｉｓ（ＳＩ５ｂｉｓ）、システム情報タイプ５ｔｅｒ（ＳＩ５ｔｅｒ）、および、システム情報タイプ６（ＳＩ６）であってよい。低速付随制御チャネル（ＳＡＣＣＨ）は、また、モバイル発呼（mobile originated）（ＭＯ）／モバイル着呼（mobile terminated）（ＭＴ）ショートメッセージサービス（ＳＭＳ）メッセージを搬送するために用いられ得る。
【００７７】
[0084]  低速付随制御チャネル（ＳＡＣＣＨ）ブロック５１２を受信することに応じて、無線通信デバイス５０４は、拡張された低速付随制御チャネル（ｅＳＡＣＣＨ）手続きを実行し得る。１つの構成において、拡張された低速付随制御チャネル（ｅＳＡＣＣＨ）手続きは、無線通信デバイス５０４上で、拡張された低速付随制御チャネル（ｅＳＡＣＣＨ）受信モジュール５０６によって実行され得る。拡張された低速付随制御チャネル（ｅＳＡＣＣＨ）受信モジュール５０６は、拡張された低速付随制御チャネル（ｅＳＡＣＣＨ）手続きのために用いられる、拡張された低速付随制御チャネル（ｅＳＡＣＣＨ）記憶モジュール５２５を含み得る。低速付随制御チャネル（ＳＡＣＣＨ）ブロック５１２が完全性チェック（例えば、巡回冗長チェック（ＣＲＣ））をパスする場合、無線通信デバイス５０４は、どんなタイプの低速付随制御チャネル（ＳＡＣＣＨ）情報が低速付随制御チャネル（ＳＡＣＣＨ）ブロック５１２に含まれるかを決定し得る。
【００７８】
[0085]  どんなタイプの低速付随制御チャネル（ＳＡＣＣＨ）情報が低速付随制御チャネル（ＳＡＣＣＨ）ブロック５１２に含まれるかの決定に応じて、無線通信デバイス５０４は、低速付随制御チャネル（ＳＡＣＣＨ）ブロック５１２のメッセージＩＤ５２０に対応する拡張された低速付随制御チャネル（ｅＳＡＣＣＨ）記憶モジュール５２５の中のバッファ（例えば、記憶される低速付随制御チャネル（ＳＡＣＣＨ）ブロック１２２ａ−ｅ）に、低速付随制御チャネル（ＳＡＣＣＨ）ブロック５１２をセーブし得る。
【００７９】
[0086]  例えば、低速付随制御チャネル（ＳＡＣＣＨ）ブロック５１２がシステム情報タイプ５（ＳＩ５）を含むことを、メッセージＩＤ５２０が示す場合、無線通信デバイス５０４は、低速付随制御チャネル（ＳＡＣＣＨ）ブロック５１２を、システム情報タイプ５（ＳＩ５）５２２ａのバッファにセーブし得る。低速付随制御チャネル（ＳＡＣＣＨ）ブロック５１２がシステム情報タイプ５ｂｉｓ（ＳＩ５ｂｉｓ）を含むことを、メッセージＩＤ５２０が示す場合、無線通信デバイス５０４は、低速付随制御チャネル（ＳＡＣＣＨ）ブロック５１２を、システム情報タイプ５ｂｉｓ（ＳＩ５ｂｉｓ）５２２ｂのバッファにセーブし得る。低速付随制御チャネル（ＳＡＣＣＨ）ブロック５１２がシステム情報タイプ５ｔｅｒ（ＳＩ５ｔｅｒ）を含むことを、メッセージＩＤ５２０が示す場合、無線通信デバイス５０４は、低速付随制御チャネル（ＳＡＣＣＨ）ブロック５１２を、システム情報タイプ５ｔｅｒ（ＳＩ５ｔｅｒ）５２２ｃのバッファにセーブし得る。低速付随制御チャネル（ＳＡＣＣＨ）ブロック５１２がシステム情報タイプ６（ＳＩ６）を含むことを、メッセージＩＤ５２０が示す場合、無線通信デバイス５０４は、低速付随制御チャネル（ＳＡＣＣＨ）ブロック５１２を、システム情報タイプ６（ＳＩ６）５２２ｄのバッファにセーブし得る。低速付随制御チャネル（ＳＡＣＣＨ）ブロック５１２がメッセージ情報（ＭＩ）を含むことを、メッセージＩＤ５２０が示す場合、無線通信デバイス５０４は、低速付随制御チャネル（ＳＡＣＣＨ）ブロック５１２を、メッセージ情報（ＭＩ）バッファ５２２ｅにセーブし得る。
【００８０】
[0087]  低速付随制御チャネル（ＳＡＣＣＨ）ブロック５１２が完全性チェックをパスしない場合、無線通信デバイス５０４は、低速付随制御チャネル（ＳＡＣＣＨ）ブロック５１２と記憶された低速付随制御チャネル（ＳＡＣＣＨ）ブロック１２２ａ−ｅとの間の相関レベルを決定するために、拡張された低速付随制御チャネル（ＳＡＣＣＨ）記憶モジュール５２５においてセーブされた記憶された低速付随制御チャネル（ＳＡＣＣＨ）ブロック１２２ａ−ｅ（すなわち、システム情報タイプ５（ＳＩ５）５２２ａ、システム情報タイプ５ｂｉｓ（ＳＩ５ｂｉｓ）５２２ｂ、システム情報タイプ５ｔｅｒ（ＳＩ５ｔｅｒ）５２２ｃ、システム情報タイプ６（ＳＩ６）５２２ｄ、および、メッセージ情報（ＭＩ））を用い得る。相関レベルは、図４および図７に関連して記載されるように決定され得る。例えば、無線通信デバイス５０４は、相関レベルがしきい値５２６より上かどうかを決定し得る。相関レベルがしきい値５２６より上である場合、無線通信デバイス５０４は、記憶された低速付随制御チャネル（ＳＡＣＣＨ）ブロック１２２ａ−ｅを再利用し得る。相関レベルがしきい値５２６より下である場合、無線通信デバイス５０４は、低速付随制御チャネル（ＳＡＣＣＨ）ブロック５１２を破棄し、反復される低速付随制御チャネル（ＲＳＡＣＣＨ）手続きを実行し得る。
【００８１】
[0088]  無線通信デバイス５０４は、また、ハンドオーバ記憶モジュール５１６を含み得る。ハンドオーバ記憶モジュール５１６は、ハンドオーバの間に落とされる呼の数を減らし得る。ハンドオーバ記憶モジュール５１６は、テンポラリ低速付随制御チャネル（ＳＡＣＣＨ）ブロック１２４ａ−ｅを含み得る。ハンドオーバが通知される場合、無線通信デバイス５０４は、記憶された低速付随制御チャネル（ＳＡＣＣＨ）ブロック１２２ａ−ｅを、記憶された低速付随制御チャネル（ＳＡＣＣＨ）ブロック１２２ａ−ｅに含まれる低速付随制御チャネル（ＳＡＣＣＨ）情報のタイプに対応する、テンポラリバッファ５２４ａ−ｅ（例えば、テンポラリ低速付随制御チャネル（ＳＡＣＣＨ）ブロック１２４ａ−ｅ）にセーブし得る。例えば、無線通信デバイス５０４は、システム情報タイプ５（ＳＩ５）５２２ａバッファを、テンポラリシステム情報タイプ５（ＳＩ５）５２４ａバッファにセーブし得る。ハンドオーバ失敗の場合には、無線通信デバイス５０４は、拡張された低速付随制御チャネル（ｅＳＡＣＣＨ）手続きにおける更なる使用のために、記憶される低速付随制御チャネル（ＳＡＣＣＨ）ブロック１２２ａ−ｅを、テンポラリ低速付随制御チャネル（ＳＡＣＣＨ）ブロック１２４ａ−ｅから再記憶する。
【００８２】
[0089]  無線通信デバイス５０４は、拡張された低速付随制御チャネル（ｅＳＡＣＣＨ）手続きにおける使用のために、現在の電力制御レベル（ＰＣＬ）５０７および現在のタイミング進度５０９を含み得る。下りリンク５０８上で受信された低速付随制御チャネル（ＳＡＣＣＨ）ブロック５１２は、電力制御レベル（ＰＣＬ）およびタイミング進度を含み得る。低速付随制御チャネル（ＳＡＣＣＨ）ブロック５１２が完全性チェックをパスする場合、無線通信デバイス５０４は、低速付随制御チャネル（ＳＡＣＣＨ）ブロック５１２に含まれた電力制御レベル（ＰＣＬ）を、現在の電力制御レベル（ＰＣＬ）５０７にセーブし得る。同様に、低速付随制御チャネル（ＳＡＣＣＨ）ブロック５１２が完全性チェックをパスする場合、無線通信デバイス５０４は、低速付随制御チャネル（ＳＡＣＣＨ）ブロック５１２に含まれたタイミング進度を、現在のタイミング進度５０９にセーブし得る。したがって、低速付随制御チャネル（ＳＡＣＣＨ）ブロック５１２が完全性チェックをパスする度に、無線通信デバイス５０４は、最近の電力制御レベル（ＰＣＬ）とタイミング進度を記憶し得る。
【００８３】
[0090]  現在の電力制御レベル（ＰＣＬ）５０７および現在のタイミング進度５０９は、図７に関連して下に記載されるように、低速付随制御チャネル（ＳＡＣＣＨ）ブロック５１２が完全性チェックを失敗する場合に、拡張された低速付随制御チャネル（ＳＡＣＣＨ）手続きにおいて使用され得る。例えば、無線通信デバイス５０４は、最近の電力制御レベル（ＰＣＬ）およびタイミング進度の値が用いられることを確かにするために、現在の電力制御レベル（ＰＣＬ）５０７と現在のタイミング進度５０９を再利用し得る。
【００８４】
[0091]  図６は、拡張された低速付随制御チャネル（ｅＳＡＣＣＨ）手続きの一部として、受信された低速付随制御チャネル（ＳＡＣＣＨ）ブロック５１２をデコードするための方法６００の流れ図である。記載される構成において、方法６００は、無線通信デバイス５０４によって実行され得る。他の構成において、方法６００は、基地局５０２によって実行され得る。無線通信デバイス５０４と基地局５０２の各々は、拡張された低速付随制御チャネル（ｅＳＡＣＣＨ）受信モジュール５０６を含み得る。
【００８５】
[0092]  無線通信デバイス５０４は、低速付随制御チャネル（ＳＡＣＣＨ）ブロック１１２を受信し得る（６０２）。無線通信デバイス５０４は、基地局から送られた１またはそれより多くのバースト１１８ａ−ｄにおいて、低速付随制御チャネル（ＳＡＣＣＨ）ブロック５１２を受信し得る（６０２）。１またはそれより多くのバースト１１８ａ−ｄは、無線通信デバイス５０４上のアンテナによって受信され（６０２）、受信機フロントエンド（ＲＸＦＥ）に渡される無線周波数送信として送られ得る。
【００８６】
[0093]  無線通信デバイス５０４は、バースト処理を実行し得る（６０４）。例えば、受信されたバースト５１８ａ−ｄは、低速付随制御チャネル（ＳＡＣＣＨ）ブロック５１２を得るために再結合され得る。
【００８７】
[0094]  無線通信デバイス５０４は、解読（deciphering）を実行し得る（６０６）。例えば、再結合された低速付随制御チャネル（ＳＡＣＣＨ）ブロック５１２を得るために受信されたバーストを処理することに応じて、無線通信デバイス５０４は、解読された低速付随制御チャネル（ＳＡＣＣＨ）ブロック５１２（ｉｋ）６０１を得るために、低速付随制御チャネル（ＳＡＣＣＨ）ブロック５１２を解読し得る。
【００８８】
[0095]  無線通信デバイス５０４は、エンコードされた低速付随制御チャネル（ＳＡＣＣＨ）ブロック（ｃｋ）６０３を得るために、解読された低速付随制御チャネル（ＳＡＣＣＨ）ブロック（ｉｋ）６０１上で、デインタリーブ（deinterleaving）を実行し得る（６０８）。エンコードされた低速付随制御チャネル（ＳＡＣＣＨ）ブロック（ｃｋ）６０３は、４５６ビットを含む。
【００８９】
[0096]  無線通信デバイス５０４は、また、デコードされた低速付随制御チャネル（ＳＡＣＣＨ）ブロック（ｕｋ）６０５を得るために、デインタリーブされた低速付随制御チャネル（ＳＡＣＣＨ）ブロック（ｃｋ）６０３上で、デコード（decoding）を実行し得る（６１０）。デコードされた低速付随制御チャネル（ＳＡＣＣＨ）ブロック（ｕｋ）６０５は、ハーフレートでコード化され得る（および、２２８ビットを含み得る）。
【００９０】
[0097]  無線通信デバイス５０４は、次に、デコードされた低速付随制御チャネル（ＳＡＣＣＨ）ブロック（ｕｋ）６０５上で、完全性チェックを実行し得る（６１２）。例えば、無線通信デバイス５０４は、低速付随制御チャネル（ＳＡＣＣＨ）ブロック１１２が壊れているかどうかを決定するために、デコードされた低速付随制御チャネル（ＳＡＣＣＨ）ブロック（ｕｋ）６０５上で、巡回冗長チェック（ＣＲＣ）を実行し得る。完全性チェックは、図４及び図７と関連して記載されるように実行され得る（６１２）。
【００９１】
[0098]  図７は、拡張された低速付随制御チャネル（ｅＳＡＣＣＨ）手続きを実行するためのより詳細な方法のラがレズである。方法７００は、受信無線デバイス１０４によって実行され得る。１つの構成において、受信無線デバイス１０４は、無線通信デバイス５０４であり得る。他の構成において、受信無線デバイス１０４は、基地局５０２であり得る。受信無線デバイス１０４は、拡張された低速付随制御チャネル（ｅＳＡＣＣＨ）受信モジュール１０６を含み得る。受信無線デバイス１０４は、デコードされた低速付随制御チャネル（ＳＡＣＣＨ）ブロック（ｕｋ）６０６を得る（７０２）。
【００９２】
[0099]  受信無線デバイス１０４は、デコードされた低速付随制御チャネル（ＳＡＣＣＨ）ブロック（ｕｋ）６０５上で、巡回冗長チェック（ＣＲＣ）を行う（７０４）。巡回冗長チェック（ＣＲＣ）は、低速付随制御チャネル（ＳＡＣＣＨ）ブロック１１２の完全性を決定するために用いられ得る。例えば、巡回冗長チェック（ＣＲＣ）は、低速付随制御チャネル（ＳＡＣＣＨ）ブロック１１２を形成する原データへの意図されない変更を検出し得る誤り検出コードを含み得る。
【００９３】
[00100]  受信無線デバイス１０４は、デコードされた低速付随制御チャネル（ＳＡＣＣＨ）ブロック（ｕｋ）６０５が巡回冗長チェック（ＣＲＣ）をパスしたかどうかを決定し得る（７０６）。デコードされた低速付随制御チャネル（ＳＡＣＣＨ）ブロック（ｕｋ）６０５が巡回冗長チェック（ＣＲＣ）をパスした場合、受信無線デバイス１０４は、電力制御レベル（ＰＣＬ）とタイミング進度ともセーブし得る（７０７）。電力制御レベル（ＰＣＬ）および／またはタイミング進度は、下りリンク５０８上で送られる低速付随制御チャネル（ＳＡＣＣＨ）ブロック１１２に含まれ得る。受信無線デバイス１０４は、電力制御レベル（ＰＣＬ）を、現在の電力制御レベル（ＰＣＬ）１０７にセーブし得る（７０７）。受信無線デバイス１０４は、また、タイミング進度を、現在のタイミング進度１０９にセーブし得る（７０７）。
【００９４】
[00101]  受信無線デバイス１０４は、エンコードされた低速付随制御チャネル（ＳＡＣＣＨ）ブロック（ｃｋ）６０３を得るために、デコードされた低速付随制御チャネル（ＳＡＣＣＨ）ブロック（ｕｋ）６０５を再エンコードし得る（７０８）。次に、受信無線デバイス１０４は、システム情報（ＳＩ）またはメッセージ情報（ＭＩ）が低速付随制御チャネル（ＳＡＣＣＨ）ブロック１１２に含まれるかどうかを決定し得る。エンコードされた低速付随制御チャネル（ＳＡＣＣＨ）ブロック（ｃｋ）６０３に含まれたサービスアクセスポイント識別子（ＳＡＰＩ）は、システム情報（ＳＩ）またはメッセージ情報（ＭＩ）が低速付随制御チャネル（ＳＡＣＣＨ）ブロック１１２に含まれるかどうかを示し得る。サービスアクセスポイント識別子（ＳＡＰＩ）は、両方ともが０のＳＡＰＩ値を持つシステム情報（ＳＩ）またはメッセージ情報（ＭＩ）と３のＳＡＰＩ値を持つショートメッセージサービス（ＳＭＳ）情報とを区別をするために用いられ得る。サービスアクセスポイント識別子（ＳＡＰＩ）情報は、エンコードされた低速付随制御チャネル（ＳＡＣＣＨ）ブロック（ｃｋ）６０３の第３のオクテットの第３、第４、および第５ビットに含まれる。
【００９５】
[00102]  １つの構成において、受信無線デバイス１０４は、低速付随制御チャネル（ＳＡＣＣＨ）ブロック１１２が、システム情報（ＳＩ）またはメッセージ情報（ＭＩ）のいずれかを含んでいるがどうかを、式（１）を用いて決定し得る（７１０）：
【数１】
0006022607.tif 000002
【００９６】
[00103]  式（１）が真である場合、エンコードされた低速付随制御チャネル（ＳＡＣＣＨ）ブロック（ｃｋ）６０３の第３オクテットの第３、第４、および第５ビットの各々は０（ゼロ）に等しく、システム情報（ＳＩ）またはメッセージ情報（ＭＩ）のいずれかが低速付随制御チャネル（ＳＡＣＣＨ）ブロック１１２に含まれることを示している。式（１）が偽である場合、エンコードされた低速付随制御チャネル（ＳＡＣＣＨ）ブロック（ｃｋ）６０３の第３オクテットの第３、第４、および第５ビットの１またはそれより多くが０（ゼロ）に等しくなく、システム情報（ＳＩ）またはメッセージ情報（ＭＩ）のいずれも低速付随制御チャネル（ＳＡＣＣＨ）ブロック１１２に含まれる。１つの構成において、受信無線デバイス１０４は、式（１）が偽（すなわち、低速付随制御チャネル（ＳＡＣＣＨ）ブロック１１２が、システム情報（ＳＩ）またはメッセージ情報（ＭＩ）のいずれも含まない）場合、拡張された低速付随制御チャネル（ｅＳＡＣＣＨ）手続きは終了し得る（７１２）。
【００９７】
[00104]  受信無線デバイス１０４が、式（１）が真である（すなわち、低速付随制御チャネル（ＳＡＣＣＨ）ブロック１１２がシステム情報（ＳＩ）またはメッセージ情報（ＭＩ）のいずれかを含む）と決定する（７１０）場合、受信無線デバイス１０４は、低速付随制御チャネル（ＳＡＣＣＨ）ブロック１１２のメッセージＩＤ１２０を決定し得る（７１４）。メッセージＩＤ１２０は、どのタイプのシステム情報（ＳＩ）またはメッセージ情報（ＭＩ）が低速付随制御チャネル（ＳＡＣＣＨ）ブロック１１２に含まれるかを示し得る。例えば、システム情報は、システム情報タイプ５（ＳＩ５）、システム情報タイプ５ｂｉｓ（ＳＩ５ｂｉｓ）、システム情報タイプ５ｔｅｒ（ＳＩ５ｔｅｒ）、およびシステム情報タイプ６（ＳＩ６）であってよい。メッセージＩＤ１２０は、エンコードされた低速付随制御チャネル（ＳＡＣＣＨ）ブロック（ｃｋ）６０３から決定され得る（７１４）。１つの構成では、メッセージＩＤ１２０は、エンコードされた低速付随制御チャネル（ＳＡＣＣＨ）ブロック（ｃｋ）６０３の第７オクテットの最初の３ビットであり得、低速付随制御チャネル（ＳＡＣＣＨ）ブロック１１２に含まれるシステム情報（ＳＩ）またはメッセージ情報（ＭＩ）のタイプを示す。
【００９８】
[00105]  受信無線デバイスは、メッセージＩＤ１２０にもとづいて、１つの記憶された低速付随制御チャネル（ＳＡＣＣＨ）ブロック１２２を、エンコードされた低速付随制御チャネル（ＳＡＣＣＨ）ブロック（ｃｋ）６０３と置き換え得る。例えば、メッセージＩＤ１２０が、エンコードされた低速付随制御チャネル（ＳＡＣＣＨ）ブロック（ｃｋ）６０３がシステム情報タイプ５（ＳＩ５）を含むことを示す場合、エンコードされた低速付随制御チャネル（ＳＡＣＣＨ）ブロック（ｃｋ）６０３は、システム情報タイプ５（ＳＩ５）を含む記憶された低速付随制御チャネル（ＳＡＣＣＨ）ブロック１２２ａ（すなわち、システム情報タイプ５（ＳＩ５）５２２ａのバッファ）にサーブされ得る。メッセージＩＤ１２０が、エンコードされた低速付随制御チャネル（ＳＡＣＣＨ）ブロック（ｃｋ）６０３がシステム情報タイプ５ｂｉｓ（ＳＩ５ｂｉｓ）を含むことを示す場合、エンコードされた低速付随制御チャネル（ＳＡＣＣＨ）ブロック（ｃｋ）６０３は、システム情報タイプ５ｂｉｓ（ＳＩ５ｂｉｓ）を含む記憶された低速付随制御チャネル（ＳＡＣＣＨ）ブロック１２２ｂ（すなわち、システム情報タイプ５ｂｉｓ（ＳＩ５ｂｉｓ）５２２ｂのバッファにセーブし得る、等々である。
【００９９】
[00106]  １つの記憶された低速付随制御チャネル（ＳＡＣＣＨ）ブロック１２２を、エンコードされた低速付随制御チャネル（ＳＡＣＣＨ）ブロック（ｃｋ）６０３と置き換えること（７１６）に応じて、受信無線デバイス１０４は、以降の拡張された低速付随制御チャネル（ｅＳＡＣＣＨ）手続きにおいて、新しい記憶された低速付随制御チャネル（ＳＡＣＣＨ）ブロック１２２を使用し得る。したがって、新しいデコードされた低速付随制御チャネル（ＳＡＣＣＨ）ブロック（ｕｋ）６０５が巡回冗長チェック（ＣＲＣ）パスして受信される度に、新しいエンコードされた低速付随制御チャネル（ＳＡＣＣＨ）ブロック（ｃｋ）６０３と同じメッセージＩＤ１２０をもった記憶された低速付随制御チャネル（ＳＡＣＣＨ）ブロック１２２が、新しいエンコードされた低速付随制御チャネル（ＳＡＣＣＨ）ブロック（ｃｋ）６０３と置き換えられ得、記憶された低速付随制御チャネル（ＳＡＣＣＨ）ブロック１２２ａ−ｅを、最近のシステム情報（ＳＩ）およびメッセージ情報（ＭＩ）で、最新の情報に保つ。
【０１００】
[00107]  受信無線デバイス１０４が、デコードされた低速付随制御チャネル（ＳＡＣＣＨ）ブロック（ｕｋ）６０５が巡回冗長チェックをパスしないと決定する（７０６）場合、受信無線デバイス１０４は、最も高い推定された信号対雑音比（ＳＮＲ）をもったバースト１１８を選択し得る（７１８）。上で議論したように、送信無線デバイス１０２から受信された低速付随制御チャネル（ＳＡＣＣＨ）ブロック１１２は、４つのバースト１１８ａ−ｄにおいて受信され得る。受信無線デバイス１０４は、最良の品質のバースト１１８を得るために、最も高い信号対ノイズ比（ＳＮＲ）をもったバースト１１８を選択し得る（７１８）。言い換えると、最も高い、推定された信号対ノイズ比（ＳＮＲ）をもったバースト１１８は、最も壊れ方の少ないバースト１１８であり得る。選択されたバースト１１８は、ｂｕｒｓｔｉ、ここで、
【数２】
0006022607.tif 000003
【０１０１】
と表され得る。したがって、ｂｕｒｓｔ０は、第１のバースト１１８ａに対応し、ｂｕｒｓｔ１は第２のバースト１１８ｂに対応し、以下同様である。
【０１０２】
[00108]  受信無線デバイス１０４は、選択されたバースト１１８と記憶された低速付随制御チャネル（ＳＡＣＣＨ）ブロック１２２ａ−ｅの各々の部分との間の相関レベルを決定し得る（７２０）。例えば、受信無線デバイス１０４は、選択されたバースト１１８と記憶された低速付随制御チャネル（ＳＡＣＣＨ）ブロック１２２ａ−ｅの各々との上でパターンマッチングを実行することにより、相関レベルを決定し得る（７２０）。選択されたバースト１１８を形成するビットは、選択されたバースト１１８に対応する記憶された低速付随制御チャネル（ＳＡＣＣＨ）ブロック１２２ａ−ｅのビットと比較され得る。相関レベルは、以下の式によって表され得る：
【数３】
0006022607.tif 000004
【０１０３】
[00109]  式（２）において、Ｙｘは、記憶された低速付随制御チャネル（ＳＡＣＣＨ）ブロック１２２についての相関レベルであり、ｃ＊は、受信された、エンコードされた低速付随制御チャネル（ＳＡＣＣＨ）ブロック（ｃｋ）６０３に対応するｂｕｒｓｔｉであり、Ｐｘ＊は、記憶された低速付随制御チャネル（ＳＡＣＣＨ）ブロック１１２に対応するｂｕｒｓｔｉである。式（２）はビット単位（bitwise）であってよい。ｃ＊におけるビットは、Ｐｘ＊におけるビットと比較され得る。
【０１０４】
[00110]  式（２）にしたがって相関レベルを計算することの一例では、記憶された低速付随制御チャネル（ＳＡＣＣＨ）ブロック１２２におけるビット（複数）の符号（例えば、プラスまたはマイナス１）は、受信された、エンコードされた低速付随制御チャネル（ＳＡＣＣＨ）ブロック（ｃｋ）６０３におけるソフト値（soft value）（符号がつけられる（例えば、プラスまたはマイナス１））によって乗算される。結果は、合算され、受信された、エンコードされた低速付随制御チャネル（ＳＡＣＣＨ）ブロック（ｃｋ）６０３における数の絶対値の合計によって除される。したがって、受信された、エンコードされた低速付随制御チャネル（ＳＡＣＣＨ）ブロック（ｃｋ）６０３におけるビットの各々は、記憶された低速付随制御チャネル（ＳＡＣＣＨ）ブロック１２２における対応するビットの各々と同じ符号をもつ場合、分子は分母と同じになり、１の相関レベル（例えば、１００％相関）の結果となる。しかし、受信された、エンコードされた低速付随制御チャネル（ＳＡＣＣＨ）ブロック（ｃｋ）６０３における１またはそれより多くのビットが、記憶された低速付随制御チャネル（ＳＡＣＣＨ）ブロック１２２における対応するビットとは異なる符号を持つ場合、分子は分母より小さくなり、１より小さい相関レベルの結果となる。式（２）において、ｃ＊は、式（３）にしたがって決定され得る：
【数４】
0006022607.tif 000005
【０１０５】
[00111]  式（２）において、Ｐｘ＊は、式４にしたがって決定され得る：
【数５】
0006022607.tif 000006
【０１０６】
[00112]  式（３）と（４）において、ｋ＝｛０， ... ，１１３｝はｂｕｒｓｔｉの１１４ビットに対応し、ｘ＝｛１ ... ５｝は記憶された低速付随制御チャネル（ＳＡＣＣＨ）ブロック１２２ａ−ｅに対応する。
【０１０７】
[00113]  受信無線デバイス１０４は、最大の相関レベルを決定し得る（７２２）。受信無線デバイス１０４は、以前に決定された相関レベルの最大値を見付けることによって、最大の相関レベルを決定し得る（７２２）。最大の相関レベルは、式（５）を用いて決定され得る（７２２）：
【数６】
0006022607.tif 000007
【０１０８】
[00114]  式（５）において、Ｙｍは、最大相関レベルである。最大相関レベル（Ｙｍ）は、エンコードされた低速付随制御チャネル（ＳＡＣＣＨ）ブロック（ｃｋ）６０３からの選択されたバーストとバッファの１つにおける対応する記憶されたｃｋシンボルとの間の相関の量（すなわち、正確さ）であり得る。
【０１０９】
[00115]  受信無線デバイス１０４は、最大相関レベルがしきい値１２６より上かどうかを決定し得る（７２４）。１つの構成において、受信無線デバイス１０４は、評価する式（６）によって、相関レベルがしきい値１２６より上かどうかを決定し得る（７２４）：
【数７】
0006022607.tif 000008
【０１１０】
式（６）において、Ｔｈはしきい値１２６である。
【０１１１】
[00116]  受信無線デバイス１０４が、最大相関レベルはしきい値１２６より上ではないと決定する（７２４）場合、受信無線デバイス１０４は、反復される低速付随制御チャネル（ＲＳＡＣＣＨ）手続きを実行し得る（７２６）。例えば、式６が偽である（すなわち、最大相関レベル（Ｙｍ）がしきい値（Ｔｈ）１２６より小さい）場合、受信無線デバイス１０４は、壊れた低速付随制御チャネル（ＳＡＣＣＨ）ブロック１１２を破棄し得る。加えて、受信無線デバイス１０４は、送信無線デバイス１０２が壊れた低速付随制御チャネル（ＳＡＣＣＨ）ブロック１１２を再送信することを要求するために、反復される低速付随制御チャネル（ＲＳＡＣＣＨ）手続きを実行し得る（７２６）。反復される低速付随制御チャネル（ＲＳＡＣＣＨ）手続きは、図８に関連して以下に説明される。
【０１１２】
[00117]  受信無線デバイス１０４が、最大相関レベルはしきい値１２６の上であると決定する（７２４）場合、受信無線デバイス１０４は、記憶された低速付随制御チャネル（ＳＡＣＣＨ）ブロック１２２ａ−ｅ、現在の電力制御レベル（ＰＣＬ）１０７、および現在のタイミング進度１０９の各々を再利用し得る（７２８）。例えば、式６が真である（最大相関レベル（Ｙｍ）がしきい値（Ｔｈ）１２６より大きい）場合、受信無線デバイス１０４は、以降の拡張された低速付随制御チャネル（ｅＳＡＣＣＨ）手続きのために、記憶された低速付随制御チャネル（ＳＡＣＣＨ）ブロック１２２ａ−ｅの各々を再利用し得る（７２８）。１つの構成において、受信無線デバイス１０４は、記憶された低速付随制御チャネル（ＳＡＣＣＨ）ブロック１２２ａ−ｅの値をＵｍインタフェース３４０の上位レイヤ（例えば、データリンクレイヤ（Ｌ２）３５０）に渡すことによって、記憶された低速付随制御チャネル（ＳＡＣＣＨ）ブロック１２２ａ−ｅの各々を再利用し得る（７２８）。
【０１１３】
[00118]  受信無線デバイス１０４は、さらに、現在の電力制御レベル（ＰＣＬ）１０７と現在のタイミング進度１０９とを再利用し得る（７２８）。受信無線デバイス１０４は、記憶された低速付随制御チャネル（ＳＡＣＣＨ）ブロック１２２ａ−ｅに含まれた電力制御レベル（ＰＣＬ）とタイミング進度の代わりに、現在の電力制御レベル（ＰＣＬ）１０７と現在のタイミング進度１０９を再利用し得る（７２８）。例えば、受信無線デバイス１０４が、最大相関がしきい値１２６より上であると決定した場合、受信無線デバイス１０４は、記憶された低速付随制御チャネル（ＳＡＣＣＨ）ブロック１２２ａ−ｅを再利用し得る（７２８）。しかし、記憶された低速付随制御チャネル（ＳＡＣＣＨ）ブロック１２２ａ−ｅに含まれた電力制御レベル（ＰＣＬ）およびタイミング進度の情報は、現在のものではない可能性がある。
【０１１４】
[00119]  したがって、古い電力制御レベル（ＰＣＬ）とタイミング進度の情報を用いる代わりに、受信無線デバイス１０４は、完全性チェックをパスした最後の低速付随制御チャネル（ＳＡＣＣＨ）ブロック１１２に含まれていた最近の電力制御レベル（ＰＣＬ）とタイミング進度（低速付随制御チャネル（ＳＡＣＣＨ）ブロック１１２が完全性チェックをパスする度に、現在の電力制御レベル（ＰＣＬ）１０７と現在のタイミング進度１０９を更新することによる）を、再利用し得る（７２８）。受信無線デバイス１０４は、図３に関連して記載されるように、現在の電力制御レベル（ＰＣＬ）１０７と現在のタイミング進度１０９とを、Ｕｍインタフェース３４０の上位レイヤに渡すことによって、現在の電力制御レベル（ＰＣＬ）１０７と現在のタイミング進度１０９を再利用し得る（７２８）。
【０１１５】
[00120]  記憶された低速付随制御チャネル（ＳＡＣＣＨ）ブロック１２２ａ−ｅは、最初に、ゼロにセットされ得る。相関レベルが正しいシステム情報（ＳＩ）とメッセージ情報（ＭＩ）について決定されることを確実にするために、受信無線デバイス１０４は、受信無線デバイス１０４がネットワークに最初に接続するとき、記憶される低速付随制御チャネル（ＳＡＣＣＨ）ブロック１２２ａ−ｅにセーブされた値をリセットし得る。したがって、受信無線デバイス１０４は、記憶される低速付随制御チャネル（ＳＡＣＣＨ）ブロック１２２ａ−ｅをゼロに設定することによって、記憶される低速付随制御チャネル（ＳＡＣＣＨ）ブロック１２２ａ−ｅをフラッシュ（flush）し得る。加えて、受信無線デバイス１０４は、受信無線デバイスが新しい送信無線デバイスと最初に接続するとき、記憶される低速付随制御チェネル（ＳＡＣＣＨ）ブロック１２２ａ−ｅを初期化し得る。
【０１１６】
[00121]  図８は、本発明の実施形態で用いられ得る、反復される低速付随制御チャネル（ＲＳＡＣＣＨ）手続きを示すブロック図である。反復される低速付随制御チャネル（ＲＳＡＣＣＨ）手続きは、呼の間のチャネル性能を改善しえる既知のアプローチである。反復される低速付随制御チャネル（ＲＳＡＣＣＨ）手続きを介して、受信無線デバイス１０４は、低速付随制御チャネル（ＳＡＣＣＨ）ブロックの再送信を要求し得る。
【０１１７】
[00122]  下りリンクの低速付随制御チャネル（ＳＡＣＣＨ）８６０と上りリンクの低速付随制御チャネル（ＳＡＣＣＨ）８６２が図８に示される。送信無線デバイス１０２（即ち、基地局５０２）は、下りリンク低速付随制御チャネル（ＳＡＣＣＨ）ブロック８６６ａ−ｄを受信無線デバイス１０４（即ち、無線通信デバイス５０４）に送り得る。受信無線デバイス１０４は、上りリンク低速付随制御チャネル（ＳＡＣＣＨ）ブロック８６８ａ−ｅを送信無線デバイス１０２に送り得る。下りリンク低速付随制御チャネル（ＳＡＣＣＨ）ブロック８６６ａ−ｄと対応する上りリンク低速付随制御チャネル（ＳＡＣＣＨ）ブロック８６８ａ−ｅとは、低速付随制御チャネル（ＳＡＣＣＨ）フレーム８６４ａ−ｅにおいて送られ得る。上りリンク低速付随制御チャネル（ＳＡＣＣＨ）ブロック８６８の各々は、低速付随制御チャネル（ＳＡＣＣＨ）反復要求（ＳＲＲ）８７０ａ−ｅであるフラグを含み得る。低速付随制御チャネル（ＳＡＣＣＨ）反復要求（ＳＲＲ）８７０は、下りリンク低速付随制御チャネル（ＳＡＣＣＨ）ブロック８６６の再送信要求のために使用され得る。
【０１１８】
[00123]  一例では、受信無線デバイス１０４が、壊れた第２の下りリンク低速付随制御チャネル（ＳＡＣＣＨ）ブロック８６６ｂ（第２の低速付随制御チャネル（ＳＡＣＣＨ）フレーム８６４ｂにおいて受信される）をデコードすることに失敗した場合、受信無線デバイス１０４は、第３の低速付随制御チャネル（ＳＡＣＣＨ）フレーム８６４ｃ上で低速付随制御チャネル（ＳＡＣＣＨ）反復要求（ＳＲＲ）８７０を変更する（例えば、ＳＲＲ＝ＲＳｒ）ことによって、第２の低速付随制御チャネル（ＳＡＣＣＨ）ブロック８６６ｂの再送信を要求し得る。ネットワークは、第４の低速付随制御チャネル（ＳＡＣＣＨ）フレーム８６４ｄにおいて、（第２の下りリンク低速付随制御チャネル（ＳＡＣＣＨ）ブロック再送信８７２として）低速付随制御チャネル（ＳＡＣＣＨ）ブロック８６６ｂを再送信し得る。ネットワークが、第４の低速付随制御チャネル（ＳＡＣＣＨ）フレーム８６４ｄにおいて第２の下りリンク低速付随制御チャネル（ＳＡＣＣＨ）ブロック再送信８７２を送らないが、代わりに、第４の低速付随制御チャネル（ＳＡＣＣＨ）フレーム８６４ｄの後、第２の下りリンク低速付随制御チャネル（ＳＡＣＣＨ）ブロック再送信８７２を再送信する場合、第２の下りリンク低速付随制御チャネル（ＳＡＣＣＨ）ブロック８６６ｂは、第２の低速付随制御チャネル（ＳＡＣＣＨ）フレーム８６４ｂにおいて受信された情報と正しく結合されない可能性がある。
【０１１９】
[00124]  各下りリンク低速付随制御チャネル（ＳＡＣＣＨ）ブロック８６６は、低速付随制御チャネル（ＳＡＣＣＨ）反復指令（ＳＲＯ）フラグ（図示されない）を含み得る。低速付随制御チャネル（ＳＡＣＣＨ）反復指令（ＳＲＯ）は、上りリンク低速付随制御チャネル（ＳＡＣＣＨ）ブロック８６８の再送信を要求するために使用され得る。例えば、基地局５０２が、壊れた上りリンク低速付随制御チャネル（ＳＡＣＣＨ）ブロック８６８を受信した場合、基地局５０２は、無線通信デバイス５０４に対し、低速付随制御チャネル（ＳＡＣＣＨ）反復指令（ＳＲＯ）を発行する。
【０１２０】
[00125]  反復される低速付随制御チャネル（ＲＳＡＣＣＨ）手続きにおいて、低速付随制御チャネル（ＳＡＣＣＨ）ブロック１１２が完全性チェック（例えば、巡回冗長チェック（ＣＲＣ））を失する度に、ソフトデシジョン（soft decisions）がセーブされ、または、以前にセーブされたソフトデシジョン（失敗した低速付随制御チャネル（ＳＡＣＣＨ）ブロックの）と組み合され得、巡回冗長チェックが再度試みられ得る。ソフト結合された（soft-combined）、エンコードされた低速付随制御チャネル（ＳＡＣＣＨ）ブロック（ｃｋ）も巡回冗長チェック（ＣＲＣ）を失する場合、現在の低速付随制御チャネル（ＳＡＣＣＨ）ブロック１１２のソフトデシジョンが、以前のソフトデシジョンのための位置にセーブされ得る。ソフトデシジョンは、交互の低速付随制御チャネル（ＳＡＣＣＨ）ブロック１１２について結合され得る（即ち、奇数のソフトデシジョンは奇数のソフトデシジョンと組み合され得、偶数のソフトデシジョンは偶数のソフトデシジョンと組み合され得る）。２つのバッファ、１つは奇数のソフトデシジョン用、１つは偶数のソフトデシジョン用、が維持され得る。
【０１２１】
[00126]  この中に開示される拡張された低速付随制御チャネル（ｅＳＡＣＣＨ）手続きは、従来の低速付随制御チャネル（ＳＡＣＣＨ）完全性チェックおよび反復される低速付随制御チャネル（ＲＳＡＣＣＨ）を越えた利点を提供する。例えば、拡張された低速付随制御チャネル（ｅＳＡＣＣＨ）手続きは、低速付随制御チャネル（ＳＡＣＣＨ）デコードを改善することによって、呼の維持を改善する。これは、ネットワークによって送られる低速付随制御チャネル（ＳＡＣＣＨ）メッセージにおいて反復を実施することにより達成され得る。ここに開示される拡張された低速付随制御チャネル（ｅＳＡＣＣＨ）手続きは、非常に近い（very next）下りリンク低速付随制御チャネル（ＳＡＣＣＨ）フレームにおいてデコードが失する場合に、低速付随制御チャネル（ＳＡＣＣＨ）を反復するために、ネットワークサポートを必要としない。例えば、拡張された低速付随制御チャネル（ｅＳＡＣＣＨ）手続きは、基地局５０２が低速付随制御チャネル（ＳＡＣＣＨ）反復要求（ＳＲＲ）８７０を受信しないか、または、無線通信デバイス５０４が低速付随制御チャネル（ＳＡＣＣＨ）反復指令（ＳＲＯ）を受信しないかの場合に、利得があり得る。
【０１２２】
[00127]  反復される低速付随制御チャネル（ＲＳＡＣＣＨ）が特別な反復手順を必要とする一方で、拡張された低速付随制御チャネル（ｅＳＡＣＣＨ）手続きは、いかなる反復手順にも依存しない。加えて、拡張された低速付随制御チャネル（ｅＳＡＣＣＨ）手続きは、低速付随制御チャネル（ＳＡＣＣＨ）ブロック１１２のサブセット上でのパターンマッチングに基づく複雑度の低い解法である。１つの実施形態では、拡張された低速付随制御チャネル（ｅＳＡＣＣＨ）手続きは、パターンマッチングを行う（例えば、相関レベルを決定する）ために、１１４ビット（低速付随制御チャネル（ＳＡＣＣＨ）ブロック１１２の１／４）を使用するのみであり得る。他方、反復される低速付随制御チャネル（ＲＳＡＣＣＨ）は、正しく動作するために、４５６ビットすべての再結合を必要とする。したがって、拡張された低速付随制御チャネル（ｅＳＡＣＣＨ）手続きは、反復される低速付随制御チャネル（ＲＳＡＣＣＨ）よりかなりの複雑度が小さい。
【０１２３】
[00128]  加えて、拡張された低速付随制御チャネル（ｅＳＡＣＣＨ）手続きにおいて、相関レベルは、解読（deciphering）後のデコードレベルで決定され得る。したがって、相関レベルを決定することにおいて用いられ得るパターンマッチングは、バーストレベルで暗号化することに影響されない。将来的に、ネットワークは、低速付随制御チャネル（ＳＡＣＣＨ）メッセージの暗号化されたものと暗号化されないものの両方を連続的に送信し得る。拡張された低速付随制御チャネル（ｅＳＡＣＣＨ）におけるパターンマッチングが暗号化に影響されないことから、拡張された低速付随制御チャネル（ｅＳＡＣＣＨ）は、ネットワークが低速付随制御チャネル（ＳＡＣＣＨ）メッセージの暗号化されたものと暗号化されないものの両方を連続的に送信するように更新された場合に用いられ得る。
【０１２４】
[00129]  図９は、低速付随制御チャネル（ＳＡＣＣＨ）ブロックフォーマットを示すブロック図である。低速付随制御チャネル（ＳＡＣＣＨ）ブロック１１２は、２３オクテットを含み得る。各オクテットは８ビットを含み得る。
【０１２５】
[00130]  サービスアクセスポイント識別子（ＳＡＰＩ）情報９７３は、第３オクテットの第３、第４、第５ビットに含まれる。低速付随制御チャネル（ＳＡＣＣＨ）ブロックの第３オクテットは、データリンクレイヤ（Ｌ２）３５０ヘッダである。サービスアクセスポイント識別子（ＳＡＰＩ）情報９７３は、低速付随制御チャネル（ＳＡＣＣＨ）ブロック１１２に含まれる情報がシステム情報（ＳＩ）またはメッセージ情報（ＭＩ）かどうかを示し得、それらの両方は、０のサービスアクセスポイント識別子（ＳＡＰＩ）９７３の値を有する。加えて、サービスアクセスポイント識別子（ＳＡＰＩ）情報９７３は、低速付随制御チャネル（ＳＡＣＣＨ）ブロック１１２に含まれた情報が、シュートメッセージサービス（ＳＭＳ）情報であるかどうかを示し得、それは、３のサービスアクセスポイント識別子（ＳＡＰＩ）の値を有する。
【０１２６】
[00131]  システム情報（ＳＩ）９７４は、第７オクテットの最初の３ビットによって特定され得る。例えば、システム情報は、システム情報タイプ６（ＳＩ５）、システム情報タイプ５ｂｉｓ（ＳＩ５ｂｉｓ）、システム情報タイプ５ｔｅｒ（ＳＩ５ｔｅｒ）、システム情報タイプ６（ＳＩ６）であってよい。
【０１２７】
[00132]  システム情報タイプ５（ＳＩ５）メッセージコンテンツが表１にリストされる。
【表１】
0006022607.tif 000009
【０１２８】
[00133]  システム情報タイプ５ｂｉｓ（ＳＩ５ｂｉｓ）メッセージコンテンツが表２にリストされる。
【表２】
0006022607.tif 000010
【０１２９】
[00134]  システム情報タイプ５ｔｅｒ（ＳＩ５ｔｅｒ）メッセージコンテンツが表３にリストされる。
【表３】
0006022607.tif 000011
【０１３０】
[00135]  システム情報タイプ６（ＳＩ６）メッセージコンテンツが表４にリストされる。
【表４】
0006022607.tif 000012
【０１３１】
[00136]  図１０は、ハンドオーバの間に拡張された低速付随制御チャネル（ｅＳＡＣＣＨ）手続きを実行するための方法１０００の流れ図である。ハンドオーバは、コアネットワーク２２８に接続された１つのチャネルから他に継続中の呼またはデータセッションを移行するプロセスを言う。ハンドオーバは、代わりに、ハンドオフと呼ばれてもよい。
【０１３２】
[00137]  ハンドオーバは、様々な理由で起こり得る。１つの場合では、ハンドオーバは、無線通信デバイス５０４（即ち、受信無線デバイス１０４）の接続が、ソース基地局５０２から目的先の基地局５０２に移行されたときに起こり得る。この場合は、セル間ハンドオーバと呼ばれ得る。
【０１３３】
この場合に、無線通信デバイス５０４とソース基地局５０２との間の接続が目的先の基地局５０２に移行されるときに、無線通信デバイス５０４はハンドオーバを開始し得る。セル間ハンドオーバは、例えば、無線通信デバイス５０４が、ソース基地局５０２によってカバーされる領域から離れて、目的先の基地局５０２によってカバーされる領域に移動する場合に起こり得る。セル間ハンドオーバは、また、ソース基地局５０２への新たな呼を接続する容量が使い尽くされた場合にも起こり得る。ソース基地局５０２の容量を空けるために、無線通信デバイス５０４からの新たな接続が、目的先の基地局５０２に移行される。
【０１３４】
[00138]  ハンドオーバは、また、無線通信デバイス５０４が、１つの基地局５０２上でチャネルを切り替える場合に起こり得る。この場合は、セル内ハンドオーバと呼ばれ得る。この場合には、第１のチャネルが干渉されるかまたは品質低下され得る。無線通信デバイス５０４は、よりクリアである第２のチャネルに変更し得る。
【０１３５】
[00139]  無線通信デバイス５０４は、ハンドオーバが開始したかどうかを決定し得る（１００２）。例えば、無線通信デバイス５０４は、ハンドオーバフラグ（例えば、ＨＯ＿ＣＭＤ）を評価し得る。無線通信デバイス５０４は、ハンドオーバフラグが真（例えば、ＨＯ＿ＣＭＤ＝ｔｒｕｅ）の場合、ハンドオーバが開始しているかどうか判断し得る（１００２）。セル内ハンドオーバシナリオにおいて、無線通信デバイス５０４は、接続が目的先の基地局５０２に移行される前に、ソース基地局５０２からハンドオーバフラグを受信し得る。セル内ハンドオーバシナリオにおいて、無線通信デバイス５０４はソース基地局５０２に接続されたまま残り得るが、無線通信デバイス５０４は、第１のチャネルから第２のチャネルへの変更を示す、ソース基地局５０２からのハンドオーバフラグを受信し得る。
【０１３６】
[00140]  無線通信デバイス５０４が、ハンドオーバガ開始していない（例えば、ＨＯ＿ＣＭＤ＝ｆａｌｓｅ）と決定する場合（１００２）、無線通信デバイス５０４は、ソース基地局５０２と接続されたまま残る。この場合、無線通信デバイス５０４は、図４および図７に関連して上記されたように、拡張された低速付随制御チャネル（ｅＳＡＣＣＨ）手続きを実行し得る（１００４）。
【０１３７】
[00141]  無線通信デバイス５０４が、ハンドオーバが開始している（例えば、ＨＯ＿ＣＭＤ＝ｔｒｕｅ）と決定した場合（１００２）、無線通信デバイス５０４は、記憶された低速付随制御チャネル（ＳＡＣＣＨ）ブロック１２２ａ−ｅの各々を、ハンドオーバ記憶モジュールの中のテンポラリ低速付随制御チャネル（ＳＡＣＣＨ）ブロック１２４ａ−ｅにセーブし得る（１００６）。セル間ハンドオーバのシナリオにおいて、無線通信デバイス５０４は、ハンドオーバが失敗した場合に、記憶された低速付随制御チャネル（ＳＡＣＣＨ）ブロック１２２ａ−ｅを、テンポラリ低速付随制御チャネル（ＳＡＣＣＨ）ブロック１２４ａ−ｅにセーブし得る。例えば、セル間ハンドオーバにおいて、無線通信デバイス５０４は、目的先の基地局５０２への接続に失敗し得る。セル内ハンドオーバにおいて、無線通信デバイス５０４は、第１のチャネルから第２のチャネルへの移行に失敗し得る。したがって、無線通信デバイス５０４は、ハンドオーバが失敗した場合に、ソース基地局５０２と再接続するために、テンポラリ低速付随制御チャネル（ＳＡＣＣＨ）ブロック１２４ａ−ｅを使用し得る。
【０１３８】
[00142]  無線通信デバイス５０４は、拡張された低速付随制御チャネル（ｅＳＡＣＣＨ）記憶モジュール１２５において、記憶された低速付随制御チャネル（ＳＡＣＣＨ）ブロック１２２ａ−ｅの各々をフラッシュ（flush）し得る（１００８）。例えば、無線通信デバイス５０４は、記憶された低速付随制御チャネル（ＳＡＣＣＨ）ブロック１２２ａ−ｅを、ゼロに設定し得る。目的先の基地局５０２から受信された低速付随制御チャネル（ＳＡＣＣＨ）ブロック１１２についての相関レベルが、ソース基地局５０２ではなく目的先の基地局５０２によって送られた低速付随制御チャネル（ＳＡＣＣＨ）ブロック１１２にのみ基づくものであることを確実にするために、無線通信デバイス５０４は、記憶された低速付随制御チャネル（ＳＡＣＣＨ）ブロック１２２ａ−ｅの各々をフラッシュし得る（１００８）。
【０１３９】
[00143]  無線通信デバイス５０４は、ハンドオーバが失敗したかどうかを決定し得る（１０１０）。ひとつの構成において、無線通信デバイス５０４は、ハンドオーバ失敗フラグ（例えば、ＨＯ＿ＦＡＩＬ）を評価することによって、ハンドオーバが失敗したかどうかを決定し得る（１０１０）。
【０１４０】
[00144]  無線通信デバイスが、ハンドオーバが失敗した（例えば、ＨＯ＿ＦＡＩＬ＝ｔｒｕｅ）と決定した場合（１０１０）、無線通信デバイス５０４は、テンポラリ低速付随制御チャネル（ＳＡＣＣＨ）ブロック１１２１２４ａ−ｅの各々を、拡張された低速付随制御チャネル（ｅＳＡＣＣＨ）記憶モジュール１２５の中の記憶される低速付随制御チャネル（ＳＡＣＣＨ）ブロック１２２にセーブし得る（１０１２）。言い換えると、目的先の基地局５０２へのハンドオーバが失敗した場合、ソース基地局５０２に再接続するために、無線通信デバイス５０４は、以前のシステム情報（ＳＩ）およびメッセージ情報（ＭＩ）を戻す。記憶された低速付随制御チャネル（ＳＡＣＣＨ）ブロック１２２ａ−ｅを戻すことに応じて、無線通信デバイス５０４は、図４及び図７に関連して上述されたように、ソース基地局５０２と、拡張された低速付随制御チャネル（ｅＳＡＣＣＨ）手続きを実行し得る（１０１４）。
【０１４１】
[00145]  無線通信デバイスが、第２の基地局５０２へのハンドオーバが失敗しなかった（例えば、ＨＯ＿ＦＡＩＬ＝ｆａｌｓｅ）と決定した場合（１０１０）、無線通信デバイス５０４は、目的先の基地局５０２と、拡張された低速付随制御チャネル（ｅＳＡＣＣＨ）手続きを実行し得る（１０１４）。この場合には、記憶された低速付随制御チャネル（ＳＡＣＣＨ）ブロック１２２ａ−ｅがフラッシュされ（例えば、低速付随制御チャネル（ＳＡＣＣＨ）ブロック１２２ａ−ｅをゼロに設定することによる）、無線通信デバイス５０４は、目的先の基地局５０２から受信された低速付随制御チャネル（ＳＡＣＣＨ）ブロック１１２を記憶される低速付随制御チャネル（ＳＡＣＣＨ）ブロック１２２ａ−ｅにセーブすることを始め得る。
【０１４２】
[00146]  図１１は、無線通信デバイス１１０４内に含まれ得るコンポーネントを例示する。無線通信デバイス１１０４は、アクセス端末や、モバイル局や、ユーザ機器（ＵＥ）などであり得る。無線通信デバイス１１０４はプロセッサ１１７６を含む。プロセッサ１１７６は、汎用単一チップのマイクロプロセッサまたは汎用複数チップのマイクロプロセッサ（例えば、ＡＲＭ）、特定用途マイクロプロセッサ（例えば、デジタル信号プロセッサ（ＤＳＰ））、マイクロコントローラ、プログラマブルゲートアレイなどであり得る。プロセッサ１１７６は、中央処理装置（ＣＰＵ）と呼ばれ得る。単一のプロセッサ１１７６のみが、図１１の無線通信デバイス１１０４において図示されるが、代替の構成として、プロセッサの組み合わせ（例えば、ＡＲＭとＤＳＰ）が使用され得る。
【０１４３】
[00147]  無線通信デバイス１１０４は、また、プロセッサ１１７８を含む。メモリ１１７８は、電子情報を記憶することができる任意の電子コンポーネントであり得る。メモリ１１７８は、ランダムアクセスメモリ（ＲＡＭ）、読取専用メモリ（ＲＯＭ）、磁気ディスク記憶媒体、光学記憶媒体、ＲＡＭにおけるフラッシュメモリデバイス、プロセッサと共に含まれるオンボードメモリ、ＥＰＲＯＭメモリ、ＥＥＰＲＯＭメモリ、レジスタ、等、および、それらの組み合わせを含むものとして実現され得る。
【０１４４】
[00148]  データ１１８０ａと命令群１１８２ａは、メモリ１１７８に記憶され得る。命令群１１８２ａは、この中に開示された方法を実装するために、プロセッサによって実行可能であり得る。命令群１１８２ａを実行することは、メモリ１１７８に記憶されたデータ１１８０ａの使用を含み得る。プロセッサ１１７６が命令群１１８２を実行する場合、命令群の様々な部分１１８２ｂがプロセッサ１１７６上にロードされ得、データの様々な部分１１８０ｂがプロセッサ上にロードされ得る。
【０１４５】
[00149]  無線通信デバイス１１０４は、また、アンテナ１１９０を介して、無線通信デバイス１１０４へ、および、からの信号の送信および受信を可能にするために、送信機１１８４および受信機１１８６を含み得る。送信機１１８４と受信機１１８６は、総称して、トランシーバ１１８８と呼ばれてもよい。無線通信デバイス１１０４は、また、複数の送信機、追加のアンテナ、複数の受信機、および／または、複数の送信機を含んでもよい（図示されない）。
【０１４６】
[00150]  無線通信デバイス１１０４は、デジタル信号プロセッサ（ＤＳＰ）１１９４を含み得る。無線通信デバイス１１０４は、また、通信インタフェース１１９６を含み得る。通信インタフェース１１９６は、ユーザが、無線通信デバイス１１０４と相互に作用することを可能にする。
【０１４７】
[00151]  無線通信デバイス１１０４の様々なコンポーネンツは、１またはそれより多くのバスによって共に接続され得、それは、電力バス、制御信号バス、ステータス信号バス、データバス、等を含み得る。明瞭化のために、様々なバスはバスシステム１１９２として図１１に図示される。
【０１４８】
[00152]   ここに説明される技法は、直交多重方式に基づく通信システムを含む、様々な通信システムのために使用され得る。そのような通信システムの例は、直交周波数分割多元接続（ＯＦＤＭＡ）システム、シングルキャリア周波数分割多元接続（ＳＣ−ＦＤＭＡ）システム、等を含む。ＯＦＤＭＡシステムは、システム全体の帯域幅を複数の直交サブキャリアに区分する変調技術である、直交周波数分割多重（ＯＦＤＭ）を利用する。これらのサブキャリアは、また、トーン、ビン、などと呼ばれ得る。ＯＦＤＭを用いると、それぞれのサブキャリアは、データを用いて独立に変調され得る。ＳＣ−ＦＤＭＡシステムは、システム帯域幅にわたって分散されているサブキャリア上で送信するためにインターリーブされたＦＤＭＡ（ＩＦＤＭＡ）を、隣り合ったサブキャリアのブロック上で送信するために局所化されたＦＤＭＡ（ＬＦＤＭＡ）を、または、隣り合ったサブキャリアの複数のブロック上で送信するために拡張されたＦＤＭＡ（ＥＦＤＭＡ）を、利用し得る。一般的に、変調シンボルは、ＯＦＤＭを用いて周波数ドメインで、ＳＣ−ＦＤＭＡを用いて時間ドメインで送られる。
【０１４９】
[00153]  上記の説明では、参照番号は、時に、様々な用語に関連して使用されている。用語が参照番号に関連して使用される場合、これは、図のうちの１または複数において示される特定のエレメントを参照すると意味される。用語が参照番号なしに使用される場合、これは、いずれか特定の図に限定することなく、その用語を一般的に示すと意味される。
【０１５０】
[00154]  用語「決定すること(determining）」は、多種多様なアクションを包含し、したがって、「決定すること」とは、計算すること、演算すること、処理すること、導出すること、調査すること、探索すること（例えば、表、データベース、あるいは別のデータ構造を探索すること）、確認すること、などを含み得る。また、「決定すること」は、受信すること（例えば、情報を受信すること）、アクセスすること（例えば、メモリ内のデータにアクセスすること）、などを含むことができる。また、「決定すること」は、解決すること、選択すること、選ぶこと、確立すること、などを含むことができる。
【０１５１】
[00155]  フレーズ「〜に基づく」は、そうではないと明確に特定されていない限りは、「〜のみに基づく」ことを意味しない。言い換えると、フレーズ「〜に基づく」は、「〜のみに基づく」および「少なくとも〜に基づく」の両方ともを表す。
【０１５２】
[00156]  用語「プロセッサ」は、汎用プロセッサ、中央処理ユニット（ＣＰＵ）、マイクロプロセッサ、デジタル信号プロセッサ（ＤＳＰ）、コントローラ、マイクロコントローラ、ステートマシン、などを包含するように広く解釈されるべきである。いくつかの場合には、プロセッサは、用途特定集積回路（ＡＳＩＣ）、プログラマブルロジックデバイス（ＰＬＤ）、フィールドプログラマブルゲートアレイ（ＦＰＧＡ）、等と呼ばれ得る。用語「プロセッサ」は、処理デバイスの組み合わせ、例えば、デジタル信号プロセッサ（ＤＳＰ）とマイクロプロセッサの組み合わせ、複数のマイクロプロセッサ、デジタル信号プロセッサ（ＤＳＰ）コアと共同する１またはそれより多くのマイクロプロセッサ、または任意の他のそのような構成、と呼ばれ得る。
【０１５３】
[00157]  用語「メモリ」は、電子情報を記憶することができる任意の電子コンポーネントを包含するように広く解釈されるべきである。メモリという用語は、ランダムアクセスメモリ（ＲＡＭ）、読取専用メモリ（ＲＯＭ）、不揮発性ランダムアクセスメモリ（ＮＶＲＡＭ）、プログラマブル読取専用メモリ（ＰＲＯＭ）、消去可能なプログラマブル読取専用メモリ（ＥＰＲＯＭ）、電気的消去可能ＰＲＯＭ（ＥＥＰＲＯＭ）、フラッシュメモリ、磁気または光学データ記憶装置、レジスタ、などのような、様々なタイプのプロセッサ読取可能媒体を指しうる。メモリは、プロセッサが、メモリから情報を読み取る、および/または、メモリに情報を書き込むことができる場合に、プロセッサと電子通信にあると言われる。プロセッサと一体化されているメモリは、そのプロセッサと電子通信にある。
【０１５４】
[00158]  用語「命令群」および「コード」は、任意のタイプのコンピュータ可読ステートメントを含むように広く解釈されるべきである。例えば、「命令」および「コード」という用語は、１つまたは複数のプログラム、ルーチン、サブルーチン、機能、手続きなどを指しうる。「命令」および「コード」は、単一のコンピュータ読取可能ステートメントまたは多くのコンピュータ読取可能ステートメントを備えうる。
【０１５５】
[00159]  この中で説明される機能は、ハードウェアによって実行されるソフトウェアまたはファームウェアの中に実装され得る。機能は、コンピュータ読取可能媒体上に、１つまたは複数の命令として記憶され得る。「コンピュータ読取可能媒体」または「コンピュータプログラム製品」という用語は、コンピュータまたはプロセッサによってアクセスされることができる任意の有形記憶媒体を指す。限定ではなく例として、コンピュータ読取可能媒体は、ＲＡＭ、ＲＯＭ、ＥＥＰＲＯＭ、ＣＤ−ＲＯＭ、または他の光学ディスク記憶装置、磁気ディスク記憶装置、あるいは他の磁気記憶デバイス、または、命令あるいはデータ構造の形態で所望のプログラムコードを搬送あるいは記憶するために使用されることができ、かつ、コンピュータによってアクセスされることができる任意の他の媒体を含み得る。この中で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。コンピュータ読取可能媒体は、有形および非一時的でありうることが、留意されるべきである。「コンピュータプログラム製品」という用語は、コンピューティングデバイスまたはプロセッサによって実行、処理、または計算されうるコードまたは命令（例えば、「プラグラム」）と組み合わせたコンピューティングデバイスまたはプロセッサを指す。この中で使用されるように、「コード」という用語は、コンピューティングデバイスまたはプロセッサによって実行可能であるソフトウェア、命令、コード、またはデータを指し得る。
【０１５６】
[00160]  ソフトウェアあるいは命令群は、また、伝送媒体上を送信され得る。例えば、ソフトウェアがウェブサイト、サーバ、あるいは、同軸ケーブル、光ファイバーケーブル、ツイストペア、デジタル加入者ライン（ＤＳＬ）、あるいは赤外線、無線、およびマイクロ波のような無線技術を使用する他の遠隔ソース、から送信される場合には、同軸ケーブル、光ファイバーケーブル、ツイストペア、ＤＳＬ、あるいは赤外線、無線、およびマイクロ波のような無線技術は、送信媒体の定義に含まれる。
【０１５７】
[00161]  本明細書において開示される方法は、説明された方法を達成するための１つまたはそれより多くのステップまたは動作を備える。方法ステップおよび／または動作は、特許請求の範囲から逸脱することなく、お互いに交換され得る。言い換えると、ステップあるいは動作の特定の順序が、説明されている方法の適切なオペレーションのために必要とされない限り、特定のステップおよび／または動作の順序および／または使用は、特許請求の範囲から逸脱することなく変形されうる。
【０１５８】
[00162]  さらに、図４、図７、および図１０によって例示されたもののような、この中で説明された方法および技術を実行するためのモジュールおよび／またはその他適切な手段は、デバイスによって、ダウンロードされ、および／または、その他取得され得る。例えば、デバイスは、この中で説明された方法を実施するための手段の転送を容易にするためにサーバに結合され得る。代替的に、この中に説明される様々な方法は、デバイスが、記憶手段をそのデバイスに結合または提供することに応じて、様々な方法を取得し得るように、記憶手段（例えば、ランダムアクセスメモリ（ＲＡＭ）、読取専用メモリ（ＲＯＭ）、コンパクトディスク（ＣＤ）またはフロッピーディスクのような物理的な記憶媒体、など）を介して提供されることができる。さらに、この中で説明された方法および技法をデバイスに提供するための任意の他の適切な技法が利用されることができる。
【０１５９】
[00163]  特許請求の範囲は、上記に示された厳密な構成およびコンポーネントに限定されないことが理解されるべきである。特許請求の範囲から逸脱することなく、この中で説明されるシステム、方法、および装置の配置、オペレーション、および具体例において、様々な変形、変更、バリエーションがなされ得る。
以下に、本願願書に最初に添付した特許請求の範囲に記載の発明を付記する。
［Ｃ１］  無線通信のための方法であって、  低速付随制御チャネルブロックを受信することと、
前記低速付随性制御チャネルブロックが完全性チェックに失敗したことを決定することと、  前記低速付随制御チャネルブロックと各記憶された低速付随制御チャネルブロックとの間の相関レベルを決定することと、  最大の相関レベルに基づいて、前記記憶された低速付随制御チャネルブロックを設定することと、を備える方法。
［Ｃ２］  前記完全性チェックは巡回冗長チェックである、［Ｃ１］に記載の方法。
［Ｃ３］  前記記憶された低速付随制御チャネルブロックは、以前に巡回冗長チェックをパスした、［Ｃ１］に記載の方法。
［Ｃ４］  前記方法は、無線通信デバイスによって実行される、［Ｃ１］に記載の方法。
［Ｃ５］  前記方法は、基地局によって実行される、［Ｃ１］に記載の方法。
［Ｃ６］  前記最大の相関レベルに基づいて、前記記憶された低速付随制御チャネルブロックを設定することは、前記最大の相関レベルがしきい値より上である場合、前記記憶された低速付随制御チャネルブロックを再利用することを備える、［Ｃ１］に記載の方法。
［Ｃ７］  前記最大の相関レベルに基づいて、前記記憶された低速付随制御チャネルブロックを設定することは、前記最大の相関レベルがしきい値より下の場合、反復される低速付随制御チャネル手続きを実行することを備える、［Ｃ１］に記載の方法。
［Ｃ８］  前記相関レベルを決定することは、前記低速付随制御チャネルブロックにおいて最も高い品質をもったバーストを選択することを備える、［Ｃ１］に記載の方法。
［Ｃ９］  前記最も高い品質をもったバーストは、最も高い推定された信号対ノイズ比を有する、［Ｃ８］に記載の方法。
［Ｃ１０］  各相関レベルは、前記バーストと記憶された低速付随制御チャネルブロックの部分との間で決定される、［Ｃ８］に記載の方法。
［Ｃ１１］  前記低速付随制御チャネルブロックの前記部分は、バーストと同じタイプのものである、［Ｃ１０］に記載の方法。
［Ｃ１２］  前記記憶された低速付随制御チャネルブロックの前記部分がシステム情報とメジャーメント情報との一方を備えることが決定される、［Ｃ１０］に記載の方法。
［Ｃ１３］  ハンドオーバを開始することと、  前記記憶された低速付随制御チャネルブロックを、テンポラリ低速付随制御チャネルブロックにセーブすることと、
前記記憶された低速付随制御チャネルブロックをフラッシュすることと、をさらに備える、［Ｃ１］に記載の方法。
［Ｃ１４］  ハンドオーバの失敗に応じて、前記テンポラリ低速付随制御チャネルブロックを、前記記憶された低速付随制御チャネルブロックにセーブすることをさらに備える、［Ｃ１３］に記載の方法。
［Ｃ１５］  現在の電力制御レベルと現在のタイミング進度を再利用することをさらに備え、  前記現在の電力制御レベルと前記現在のタイミング進度は、巡回冗長チェックをパスした、以前に受信された低速付随制御チャネルブロックに基づく、［Ｃ１］に記載の方法。
［Ｃ１６］  無線通信のための装置であって、  プロセッサと、
前記プロセッサ電気的通信にあるメモリと、  前記メモリに記憶された命令と、を備え、
前記命令は、前記プロセッサによって、    低速付随制御チャネルブロックを受信することと、    前記低速付随性制御チャネルブロックが完全性チェックに失敗したことを決定することと、    前記低速付随制御チャネルブロックと各記憶された低速付随制御チャネルブロックとの間の相関レベルを決定することと、    最大の相関レベルに基づいて、前記記憶された低速付随制御チャネルブロックを設定することと、を実行可能である、装置。
［Ｃ１７］  前記完全性チェックは巡回冗長チェックである、［Ｃ１６］に記載の装置。
［Ｃ１８］  前記記憶された低速付随制御チャネルブロックは、以前に巡回冗長チェックをパスした、［Ｃ１６］に記載の装置。
［Ｃ１９］  前記装置は、無線通信デバイスである、［Ｃ１６］に記載の装置。
［Ｃ２０］  前記装置は、基地局である、［Ｃ１６］に記載の装置。
［Ｃ２１］  前記最大の相関レベルに基づいて、前記記憶された低速付随制御チャネルブロックを設定することを実行可能である前記命令は、前記最大の相関レベルがしきい値より上である場合、前記記憶された低速付随制御チャネルブロックを再利用することを実行可能である命令を備える、［Ｃ１６］に記載の装置。
［Ｃ２２］  前記最大の相関レベルに基づいて、前記記憶された低速付随制御チャネルブロックを設定することを実行可能である前記命令は、前記最大の相関レベルがしきい値より下の場合、反復される低速付随制御チャネル手続きを実行することを実行可能な命令を備える、［Ｃ１６］に記載の装置。
［Ｃ２３］  前記相関レベルを決定することは、前記低速付随制御チャネルブロックにおいて最も高い品質をもったバーストを選択することを備える、［Ｃ１６］に記載の装置。
［Ｃ２４］  前記最も高い品質をもったバーストは、最も高い推定された信号対ノイズ比を有する、［Ｃ２３］に記載の装置。
［Ｃ２５］  各相関レベルは、前記バーストと記憶された低速付随制御チャネルブロックの部分との間で決定される、［Ｃ２３］に記載の装置。
［Ｃ２６］  前記低速付随制御チャネルブロックの前記部分は、バーストと同じタイプのものである、［Ｃ２５］に記載の装置。
［Ｃ２７］  前記記憶された低速付随制御チャネルブロックの前記部分がシステム情報とメジャーメント情報との一方を備えることが決定される、［Ｃ２６］に記載の装置。
［Ｃ２８］  前記命令は    ハンドオーバを開始することと、    前記記憶された低速付随制御チャネルブロックを、テンポラリ低速付随制御チャネルブロックにセーブすることと、
前記記憶された低速付随制御チャネルブロックをフラッシュすることと、をさらに実行可能である、［Ｃ１６］に記載の装置。
［Ｃ２９］  前記命令は、    ハンドオーバの失敗に応じて、前記テンポラリ低速付随制御チャネルブロックを、前記記憶された低速付随制御チャネルブロックにセーブすること
をさらに実行可能である、［Ｃ２８］に記載の装置。
［Ｃ３０］  前記命令は、現在の電力制御レベルと現在のタイミング進度を再利用することをさらに実行可能であり、  前記現在の電力制御レベルと前記現在のタイミング進度は、巡回冗長チェックをパスした、以前に受信された低速付随制御チャネルブロックに基づく、［Ｃ１６］に記載の装置。
［Ｃ３１］  無線通信のためのコンピュータプログラム製品であって、  前記コンピュータプログラム製品は、命令を有する非一時的なコンピュータ可読媒体を備え、
前記命令は、    無線通信デバイスに、低速付随制御チャネルブロックを受信させるためのコードと、    前記無線通信デバイスに、前記低速付随性制御チャネルブロックが完全性チェックに失敗したことを決定させるためにコードと、    前記無線通信デバイスに、前記低速付随制御チャネルブロックと各記憶された低速付随制御チャネルブロックとの間の相関レベルを決定させるためのコードと、    前記無線通信デバイスに、最大の相関レベルに基づいて、前記記憶された低速付随制御チャネルブロックを設定させるためのコードと、を備える、コンピュータプログラム製品。
［Ｃ３２］  前記無線通信デバイスに、前記最大の相関レベルに基づいて、前記記憶された低速付随制御チャネルブロックを設定させるためのコードは、前記最大の相関レベルがしきい値より上である場合、前記無線通信デバイスに、前記記憶された低速付随制御チャネルブロックを再利用させるためのコードを備える、［Ｃ３１］に記載のコンピュータプログラム製品。
［Ｃ３３］  前記無線通信デバイスに、前記最大の相関レベルに基づいて、前記記憶された低速付随制御チャネルブロックを設定させるためのコードは、前記最大の相関レベルがしきい値より下の場合、前記無線通信デバイスに、反復される低速付随制御チャネル手続きを実行させるためのコードを備える、［Ｃ３１］に記載のコンピュータプログラム製品。
［Ｃ３４］  前記無線通信デバイスに、ハンドオーバを開始させるためのコードと、  前記無線通信デバイスに、前記記憶された低速付随制御チャネルブロックを、テンポラリ低速付随制御チャネルブロックにセーブさせるためのコードと、
前記無線通信デバイスに、前記記憶された低速付随制御チャネルブロックをフラッシュさせるためのコードと、をさらに備える、［Ｃ３１］に記載のコンピュータプログラム製品。
［Ｃ３５］  ハンドオーバの失敗に応じて、前記無線通信デバイスに、前記テンポラリ低速付随制御チャネルブロックを、前記記憶された低速付随制御チャネルブロックにセーブさせるためのコードをさらに備える、［Ｃ３４］に記載のコンピュータプログラム製品。
【図１】
0006022607.tif 000013
【図２】
0006022607.tif 000014
【図３】
0006022607.tif 000015
【図４】
0006022607.tif 000016
【図５】
0006022607.tif 000017
【図６】
0006022607.tif 000018
【図７】
0006022607.tif 000019
【図８】
0006022607.tif 000020
【図９】
0006022607.tif 000021
【図１０】
0006022607.tif 000022
【図１１】
0006022607.tif 000023